(57)【要約】【課題】糸状部材を利用した不正行為を好適に抑制可能な遊技機を提供する。【解決手段】遊技領域内に発射される遊技球に対して予め糸が取り付けられた不正球が使用された場合、不正球の糸は、糸検知用センサ４１２によって検知され、その糸に係合可能な位置にて動作可能に設けられた糸巻き装置４１１の回転部が糸巻き用モータの駆動力により動作して回転部に糸が巻き付いた状態となる。このため、不正行為を継続して行い難く、また、パチンコ機に不正の証拠が残存することとなるので、不正行為の実行を躊躇させて未然に不正行為を抑止することもできる。【選択図】  図６
2014108226.tif 000002
【特許請求の範囲】
【請求項１】
遊技球を貯留可能な貯留部材と、該貯留部材によって貯留された遊技球を１列にして流下させる通路部を形成する１又は複数の部材によって構成された通路形成部材と、該通路形成部材によって形成される通路部に設けられ、遊技球が発射される発射位置側に遊技球を１球ずつ送り出す球送り手段と、該球送り手段によって発射位置側に送られてきた遊技球を発射する発射手段と、該発射手段によって発射される遊技球を、遊技球が流下する遊技領域へ案内する案内部を形成する案内部材とを備えた遊技機において、
前記通路部と、前記案内部とを経由して前記遊技領域内に発射される遊技球に対して予め糸状部材が取り付けられていた場合に該糸状部材に係合可能な位置にて動作可能に設けられた係合動作部と、
該係合動作部に駆動力を付与する駆動手段とを備え、
該駆動手段の駆動力によって前記係合動作部が動作することで、前記糸状部材に前記係合動作部が係合可能とされていることを特徴とする遊技機。
【請求項２】
前記駆動手段は、前記球送り手段によって構成され、
前記係合動作部は、前記球送り手段が動作する場合に前記糸状部材に係合し、所定の糸状部材が所定の位置に配置された場合に前記球送り手段の球送り動作が停止されることを特徴とする請求項１記載の遊技機。
【請求項３】
前記球送り手段は、前記遊技球に当接し、遊技球を下流側に１球ずつ送り出す動作をする球送り部材を備え、
前記係合動作部は、遊技球に取り付けられた糸状部材が入り込み可能な開口部を形成すると共に前記球送り部材と一体に形成され、第１位置と、該第１位置より前記開口部の少なくとも一部を縮小した第２位置との間を動作可能とされていることを特徴とする請求項２記載の遊技機。
【発明の詳細な説明】
【技術分野】
【０００１】
本発明は、パチンコ機等の遊技機に関する。
【背景技術】
【０００２】
遊技機の一種であるパチンコ機は、遊技盤の前面側に形成される遊技領域に設けられる入賞口を備え、入賞口への遊技球の入賞に基づいて遊技者に遊技価値としての賞球を払い出したり、遊技者にとって有利な状態への当否抽選を行ったりする。この種の遊技機において、入賞口へ不正に遊技球を入賞させるために、遊技機の内部にピアノ線や針金を差し込んで、開閉式の入賞装置を無理に開放させて遊技球を不正に入賞させる、という不正行為等が行われる場合があり、かかる不正行為等に対しての対策が施されている（例えば特許文献１参照）。
【先行技術文献】
【特許文献】
【０００３】
【特許文献１】特開２００８−２０６８９３号公報
【発明の概要】
【発明が解決しようとする課題】
【０００４】
しかしながら、遊技球に細い糸を取り付け、糸の一部を保持した状態で遊技球を遊技領域内に発射し、その糸を操作することで不正に入賞が発生させられ、不正に遊技球を獲得されるといった不正行為が行われる可能性があるという問題点がある。
【０００５】
本発明は、上記例示した事情等に鑑みてなされたものであり、糸状部材を利用した不正行為を好適に抑制可能な遊技機を提供することを目的とするものである。
【課題を解決するための手段】
【０００６】
上記課題を解決すべく、請求項１記載の発明は、
遊技球を貯留可能な貯留部材と、該貯留部材によって貯留された遊技球を１列にして流下させる通路部を形成する１又は複数の部材によって構成された通路形成部材と、該通路形成部材によって形成される通路部に設けられ、遊技球が発射される発射位置側に遊技球を１球ずつ送り出す球送り手段と、該球送り手段によって発射位置側に送られてきた遊技球を発射する発射手段と、該発射手段によって発射される遊技球を、遊技球が流下する遊技領域へ案内する案内部を形成する案内部材とを備えた遊技機において、
前記通路部と、前記案内部とを経由して前記遊技領域内に発射される遊技球に対して予め糸状部材が取り付けられていた場合に該糸状部材に係合可能な位置にて動作可能に設けられた係合動作部と、
該係合動作部に駆動力を付与する駆動手段とを備え、
該駆動手段の駆動力によって前記係合動作部が動作することで、前記糸状部材に前記係合動作部が係合可能とされていることを特徴とする。
【発明の効果】
【０００７】
本発明によれば、糸状部材を利用した不正行為を好適に抑制可能な遊技機を提供することができる。
【図面の簡単な説明】
【０００８】
【図１】パチンコ機の正面図である。
【図２】前方から見たパチンコ機の斜視図である。
【図３】パチンコ機の主要な構成を展開して示す斜視図である。
【図４】パチンコ機の主要な構成を展開して示す斜視図である。
【図５】中間ユニットの正面図である。
【図６】遊技盤の正面図である。
【図７】中間ユニットの背面図である。
【図８】裏パックユニットの背面図である。
【図９】パチンコ機の背面図である。
【図１０】遊技球発射機構の正面図である。
【図１１】前方から見た遊技球発射機構の分解斜視図である。
【図１２】（ａ）は、球送りケース部材及び切断部材を背面上側から見た分解斜視図であり、（ｂ）は、球送りケース部材及び切断部材を背面下側から見た分解斜視図である。
【図１３】球送り装置及び上皿を模式的に示した背面図である。
【図１４】図１０のＡ−Ａ線で切断した球送り装置を右側から見た斜視図である。
【図１５】（ａ）は、球送り前の状態を示し、（ｂ）は、不正球が球送り可能となった状態を示し、（ｃ）は、不正球が後側に案内される状態を示している。
【図１６】（ａ）は、不正球が発射位置に待機された状態を示し、（ｂ）は、不正球が発射された状態を示している。
【図１７】遊技球発射機構の通路部分を拡大視して示した平面図である。
【図１８】不正球の糸が切断される過程を示した図である。
【図１９】（ａ）は、図６のＢ−Ｂ線において遊技盤の下側部分を断面視して糸巻き装置を示した図であり、（ｂ）は、糸巻き装置の斜視図である。
【図２０】他の実施形態における糸係合部を示した図である。
【図２１】他の実施形態における遊技球発射機構を示した分解斜視図である。
【発明を実施するための形態】
【０００９】
以下、本発明の実施形態として、遊技機の一種であるパチンコ遊技機（以下、「パチンコ機」という）を詳細に説明する。図１はパチンコ機１０の正面図、図２はパチンコ機１０を前方から見た斜視図、図３及び図４はパチンコ機１０の主要な構成を展開して示す斜視図、図５は中間ユニット１３の正面図である。なお、図３及び図５では便宜上パチンコ機１０の遊技領域２３ａ内の構成を省略している。
【００１０】
パチンコ機１０は、図３に示すように、当該パチンコ機１０の外殻を形成する外枠１１と、この外枠１１に対して前方に回動可能に取り付けられた遊技機本体１２と、を有する。外枠１１は、木製の板材を上辺及び下辺とし、アルミ製の板材を左右の辺とした四辺を固定した枠状に形成される。パチンコ機１０は、外枠１１を島設備に取り付け固定することにより遊技場に設置される。なお、パチンコ機１０において外枠１１は必須の構成ではなく、外枠１１又は外枠１１と同一の内形を有し、外枠１１の遊技機本体１２支持構造及び施錠構造を有する部材が遊技場に備え付けられた構成としてもよい。
【００１１】
遊技機本体１２は、図３に示すように、中間ユニット１３と、その中間ユニット１３の前方に配置される前扉枠１４と、中間ユニット１３の後方に配置される裏パックユニット１５とを備えている。遊技機本体１２のうち中間ユニット１３が外枠１１に対して回動可能に支持されている。
【００１２】
中間ユニット１３には、図３に示すように、前扉枠１４が回動可能に支持されており、正面視で左側を回動基端側（開閉基端側）とし、右側を回動先端側（開閉先端側）として前方へ回動可能とされている。また、中間ユニット１３には、図４に示すように、裏パックユニット１５が回動可能に支持されており、正面視で左側を回動基端側（開閉基端側）とし、右側を回動先端側（開閉先端側）として後方へ回動可能とされている。
【００１３】
中間ユニット１３には、図３に示すように、その回動先端部に施錠機構１６が設けられており、遊技機本体１２を外枠１１に対して開放不能に施錠状態とする機能と、前扉枠１４を中間ユニット１３に対して開放不能に施錠状態とする機能を有している。これらの各施錠状態は、図１に示すようにパチンコ機１０前面にて露出させて設けられた施錠機構１６のキーシリンダに対して、解錠キーを用いて解錠操作を行うことにより、それぞれ解除される。
【００１４】
中間ユニット１３は、図３に示すように、外形が外枠１１とほぼ同一形状をなす枠状の枠ユニット２１を主体に構成されている。枠ユニット２１には、前面側より遊技盤２３が着脱可能に取り付けられる内枠としての機能を有し、この遊技盤２３に形成される遊技領域２３ａが中間ユニット１３の前面側に露出可能に取り付けられる。遊技領域２３ａ内の様子は、図３に示すように、前扉枠１４の背面側に設けられた窓パネルユニット３０を通じてパチンコ機１０前方から視認可能となっている。
【００１５】
前扉枠１４は、中間ユニット１３の前面側に回動可能に取り付けられている。前扉枠１４の回動基端側には、図２に示すように、前扉取付金具５７，５８が設けられ、この前扉取付金具５７，５８が中間ユニット１３に係合することにより、中間ユニット１３に対して前扉枠１４が回動可能に支持される。
【００１６】
前扉枠１４は、図３に示すように、中間ユニット１３と外形がほぼ同一の長方形状に形成されている。前扉枠１４には、窓パネルユニット３０の外周縁が正面視で露出しないように窓パネルユニット３０より小さく開口形成された窓部１４ａが設けられる（図１参照）。この窓部１４ａが窓パネルユニット３０によって背面側から覆われることで、窓パネルユニット３０を取り付けた前扉枠１４によって中間ユニット１３の前面側のほぼ全域が覆われる。
【００１７】
窓パネルユニット３０は、図３に示すように、窓部１４ａより大きな外形で透明性を有する前後一対の透明ガラス３１，３２と、これら透明ガラス３１，３２を一体化する固定枠３３とを備えている。固定枠３３は、合成樹脂により透明ガラス３１，３２より一回り大きな環状に形成され、透明ガラス３１，３２の外周縁が固定枠３３に接着されることで窓パネルユニット３０は一体化された複層ガラスとされている。
【００１８】
なお、窓パネルユニット３０は、透明ガラス３１，３２によって無色透明に形成されているが、これに限定されることはなく合成樹脂によって無色透明に形成されていてもよく、パチンコ機１０前方から窓パネルユニット３０を通じて遊技領域２３ａを視認可能であれば無色透明でなく有色透明に形成されていてもよい。
【００１９】
前扉枠１４において窓部１４ａの周囲には、図１に示すように、ＬＥＤ等の発光手段を内蔵した電飾部２４が複数設けられている。これら電飾部２４では、大当たり時や所定のリーチ時等における遊技状態の変化に応じて点灯や点滅が行われる。また、窓部１４ａの上側の電飾部２４には、払出球が不足する等の所定のエラー時に点灯する発光手段と、賞球払出中に点灯する発光手段とが内蔵されている。また、窓部１４ａの右上側及び左上側には、遊技状態に応じた効果音などが出力されるスピーカ装置を覆うスピーカカバー２７が設けられている。
【００２０】
前扉枠１４における窓部１４ａの下方には、図２に示すように、手前側へ膨出した上側膨出部２８と下側膨出部２９とが上下に並設されている。上側膨出部２８には上方に開口した上皿２８ａが設けられており、下側膨出部２９には同じく上方に開口した下皿２９ａが設けられている。上皿２８ａは、払出装置２２４より払い出された遊技球を一旦貯留し、一列に整列させながら遊技球発射機構１１０側へ導く機能を有している。また、下皿２９ａは、上皿２８ａ内にて余剰となった遊技球を貯留する機能を有している。なお、上皿２８ａと下皿２９ａとに分けて複数箇所に遊技球を貯留する部位を設ける必要はなく、下皿２９ａを廃止して上皿２８ａのみとした１つの貯留部のみを有する構成としても良い。
【００２１】
上側膨出部２８における上皿２８ａ（遊技球の貯留領域）の手前側には、遊技者らにより手動操作される操作スイッチ４０が設けられている。操作スイッチ４０は、図柄表示装置９４の表示画面９４ａ等にて遊技者の操作に対応した演出が行われる場合に使用される操作装置である。この操作スイッチ４０は、上皿２８ａ以外に下皿２９ａ周辺等の別の部位に設けられても良いし、複数箇所に設けられても良く、また、操作方法として押しボタン式のスイッチであっても良く、タッチセンサ、非接触式のセンサ等の別の操作方法によって情報入力可能な構成としても良い。
【００２２】
前扉枠１４における下側膨出部２９の右側には、図２に示すように、手前側へ突出するようにして発射操作装置４５が設けられている。発射操作装置４５は、遊技領域２３ａに遊技球を発射すべく操作される装置であり、図２に示すように、操作ベース４６に対して、環状の操作ハンドル４７が回転可能に軸支されてなり、遊技球の発射操作に際して操作ハンドル４７が遊技者により回転操作されるものである。この場合、操作ハンドル４７の回転操作量は、操作ベース４６に内蔵された操作量検出手段としての可変抵抗器により検出される。また、発射操作装置４５には、操作ハンドル４７を遊技者が触れていることを検知するためのタッチセンサが操作ベース４６に内蔵されるとともに、操作ハンドル４７を回転操作した状態において遊技球の発射を停止させるために操作される停止操作レバー４８が設けられている。
【００２３】
前扉枠１４の背面側には、図３に示すように、通路形成ユニット５０が取り付けられている。通路形成ユニット５０は、合成樹脂により成形されており、上皿２８ａに通じる前扉側上皿通路部５１と、下皿２９ａに通じる前扉側下皿通路部５２と、ファール球通路部５５を有している。通路形成ユニット５０の上側隅部には後方に突出し上方に開放された払出球受口部５３が形成されており、当該受口部５３が仕切壁５４によって左右に仕切られることで前扉側上皿通路部５１の通路入口と前扉側下皿通路部５２の通路入口とがそれぞれ形成されている。
【００２４】
ファール球通路部５５は、遊技球発射機構１１０から発射された遊技球のうち遊技領域２３ａまで至らなかった遊技球をファール球として下皿２９ａに排出する通路を形成する部位である。ファール球通路部５５には、図３に示すように、上方に開放されたファール球受口部５６が設けられる。このファール球受口部５６よりファール球が受け入れられ、前扉側下皿通路部５２にファール球が案内されることにより、ファール球通路部５５に入った遊技球は下皿２９ａに排出される。なお、ファール球通路部５５は、下皿２９ａでなく、上皿２８ａに接続され、ファール球が上皿２８ａに排出される構成としても良い。
【００２５】
遊技球発射機構１１０は、図３に示すように、前扉枠１４を開放した場合に前面側に露出される部品であり、中間ユニット１３の前面側右下部分に設けられている。この遊技球発射機構１１０は、図５に示すように、発射装置として設けられた電磁式の発射用ソレノイド１１１と、発射レール１１２と、球送り装置１１３とを備えている。球送り装置１１３は、上皿２８ａに貯留された遊技球を発射レール１１２上に１個ずつ供給する。この場合、この供給される遊技球は発射用ソレノイド１１１において打出し部として設けられたプランジャ１１４の突出経路上に配置される。そして、発射用ソレノイド１１１への電気的な信号の入力により、プランジャ１１４が発射レール１１２上の遊技球に向けて移動し、当該遊技球は遊技領域２３ａに向けて打出される。なお、遊技球発射機構１１０の電動アクチュエータは、発射用ソレノイド１１１に限定されることはなく、発射モータなどを用いてもよい。
【００２６】
中間ユニット１３の左側であって発射レール１１２の左方には、図３に示すように、通路形成部材１２１が配設されている。枠ユニット２１には、通路形成部材１２１が設けられる部位を前後方向に貫通する貫通孔が設けられ、この貫通孔を前面側から覆うようにして通路形成部材１２１は、枠ユニット２１にネジ止めされている。
【００２７】
通路形成部材１２１は、図５に示すように、本体側上皿通路部１２２と本体側下皿通路部１２３とを有している。前扉枠１４が閉鎖状態とされた場合には、通路形成部材１２１の下側部分に前扉枠１４に設けられる通路形成ユニット５０の払出球受口部５３（図３参照）が入り込む。そして、本体側上皿通路部１２２の下方には前扉側上皿通路部５１が配置され、本体側下皿通路部１２３の下方には前扉側下皿通路部５２が配置される。
【００２８】
通路形成部材１２１の下側部分には、図５に示すように、本体側上皿通路部１２２及び本体側下皿通路部１２３からの遊技球の流出を規制するシャッタ１２４が設けられている。シャッタ１２４は、両通路の出口部分を狭め遊技球の流出を阻止する阻止位置と、遊技球の流出を許容する許容位置との両位置に切り替え可能に設けられる。また、枠ユニット２１には、シャッタ１２４を阻止位置に向けて付勢する付勢部材が取り付けられ、前扉枠１４を中間ユニット１３に対して開いた状態では付勢部材の付勢力によってシャッタ１２４が阻止位置に留まる構成となっている。これにより、本体側上皿通路部１２２又は本体側下皿通路部１２３に遊技球が貯留されている状態で前扉枠１４を開放した場合に、その貯留球がこぼれ落ちてしまうといった不都合が回避されている。これに対し、前扉枠１４を閉じた状態では、前扉枠１４の通路形成ユニット５０に設けられた払出球受口部５３の外周部分により上記付勢力に抗してシャッタ１２４が許容位置に押し戻される。この状態では、本体側上皿通路部１２２及び前扉側上皿通路部５１が連通し、本体側下皿通路部１２３及び前扉側下皿通路部５２が連通して、遊技球の流下が許容される。
【００２９】
次に、遊技領域２３ａを形成する遊技盤２３の構成を、図６に基づいて説明する。図６は遊技盤２３の正面図である。
【００３０】
遊技盤２３は、木製の合板で形成した板材と同板材の前側の板面を覆うシート材とを有する遊技板２３ｂを備えており、その全面が枠ユニット２１の前面側に露出している。この露出している部位、すなわち遊技盤２３の前面には、遊技球が流下する遊技領域２３ａが形成されている。上記したように遊技領域２３ａは透明ガラス３１，３２によって前面側が覆われているため、後側の透明ガラス３２によって遊技領域２３ａの前面側が区画される。また、遊技領域２３ａの背面側は遊技板２３ｂの前面によって区画される。なお、遊技板２３ｂを構成する板材は、合板に限らず一枚板で形成しても良いし、木製に限らず例えば透明な合成樹脂製の板材または成形品で形成しても良い。
【００３１】
遊技領域２３ａは、正面視において遊技盤２３の全域に渡る上下及び左右方向の寸法に設定され、右下部分のみが右下側に突出した略円形状に形成されている。遊技領域２３ａは、その外周が誘導レール１００及び区画部材１０７により区画されている。誘導レール１００は、遊技盤２３の左側全域に及ぶ大きさの円弧状の内レール１０１と外レール１０２とからなり、これら内レール１０１と外レール１０２とにより遊技領域２３ａの左側に円弧状の誘導通路１０３を形成する。
【００３２】
誘導通路１０３の下側端部には、誘導通路１０３の入口部１０４が形成され、この入口部１０４と発射レール１１２とは離間して設けられる（図５参照）。誘導通路１０３の上側端部には、誘導通路１０３の出口部１０５が形成され、その出口部１０５の右上側には遊技領域２３ａに到達した遊技球の誘導通路１０３内への戻りを防止する戻り防止部材１０６が取り付けられている。
【００３３】
発射操作装置４５（図１参照）の操作ハンドル４７が遊技者により手動操作された場合、中間ユニット１３の右下部分に設けられた遊技球発射機構１１０（図５参照）から発射された遊技球は、誘導通路１０３を経由し、誘導通路１０３の出口部１０５において戻り防止部材１０６により閉鎖された遊技領域２３ａの入口を押し広げて遊技領域２３ａ内に進入する。遊技球の発射力が弱すぎる場合には、遊技球が遊技領域２３ａまで至らず誘導通路１０３内で落下し始め、誘導通路１０３の入口部１０４と発射レール１１２との間に落下する。前扉枠１４の閉鎖状態においては、この入口部１０４と発射レール１１２との間にファール球受口部５６が配置され、遊技領域２３ａまで至らなかった遊技球はファール球通路部５５を経由して下皿２９ａへ排出される。
【００３４】
区画部材１０７は、遊技領域２３ａの右側を区画するものであり、合成樹脂を成形して縦長に形成され、遊技板２３ｂの前面にネジ止めされている。この区画部材１０７は、外レール１０２の上側における右側端部を起点とし、内レール１０１の下側における右側端部より下側まで延在している。
【００３５】
なお、区画部材１０７の上端部には、機種名が印字された証紙１０７ａが貼り付けられ、区画部材１０７の下端部には、メーカー名や製造番号などが印字された証紙１０７ｂを貼り付けた台座部品が固定されている。これら証紙１０７ａ，１０７ｂは、透明ガラス３１，３２を介してパチンコ機１０前方から視認可能な位置に配置される。
【００３６】
遊技板２３ｂには、ルータ加工が施されることによって前後方向に貫通する大小複数の開口部が形成されている。各開口部には一般入賞口８１、可変入賞装置８２、上作動口８３ａ、下作動口８３ｂ、スルーゲート８４、可変表示ユニット８５、主表示装置９６等が設けられている。
【００３７】
一般入賞口８１、可変入賞装置８２、上作動口８３ａ及び下作動口８３ｂへの入球が発生すると、それが遊技盤２３の背面側に配設された検知センサ（図示略）により検知され、その検知結果に基づいて所定数の賞球の払い出しが実行される。この場合、上作動口８３ａへの入球が発生した場合及び下作動口８３ｂへの入球が発生した場合には３個の賞球の払い出しが実行され、一般入賞口８１への入球が発生した場合には１０個の賞球の払い出しが実行され、可変入賞装置８２への入球が発生した場合には１５個の賞球の払い出しが実行される。但し、これら賞球の個数は任意であり、例えば上作動口８３ａに係る賞球個数よりも下作動口８３ｂに係る賞球個数が多いといったように、両作動口８３ａ，８３ｂの賞球個数が相違していてもよい。また、可変入賞装置８２に係る賞球個数が他の賞球個数に比べて多い構成に限定されることはなく、例えば一般入賞口８１に係る賞球個数と同一の構成としても良く、少ない構成としても良い。
【００３８】
遊技領域２３ａの中央部には、可変表示ユニット８５が設けられ、可変表示ユニット８５の構成部品として、絵柄の一種である図柄を変動表示（又は、可変表示若しくは切換表示）する図柄表示装置９４が遊技板２３ｂの背面側に設けられ、正面視で図柄表示装置９４の表示画面９４ａを囲むように設けられるセンターフレーム９５が遊技板２３ｂの前面側より取り付けられている。図柄表示装置９４の前面側であってセンターフレーム９５の後側には、ポリカーボネート等の透明な合成樹脂材料により形成された透明保護板が設けられ、図柄表示装置９４の表示画面９４ａは、その透明保護板を介して前面側から視認可能とされている。
【００３９】
遊技領域２３ａは、その中央部にセンターフレーム９５が設けられることで、センターフレーム９５の左右両側に位置する左側領域ＰＥ１と右側領域ＰＥ２とに区画され、遊技領域２３ａに発射された遊技球は、左側領域ＰＥ１または右側領域ＰＥ２のいずれか一方を流下することとなる。左側領域ＰＥ１及び右側領域ＰＥ２の下側には、両領域から流下した遊技球が合流して流下する下側領域ＰＥ３が遊技領域２３ａの一部として設けられている。
【００４０】
遊技領域２３ａへ遊技球が到達する回動量に操作ハンドル４７が操作されると、左側領域ＰＥ１または右側領域ＰＥ２のいずれか一方を遊技球が流下する。操作ハンドル４７の操作量が少なく、センターフレーム９５の一番上側の部位を超えない発射力となる回動操作量で遊技球が発射されると、遊技球は遊技領域２３ａの入口に近い左側領域ＰＥ１を流下する。その操作量より操作ハンドル４７の操作量が多く、センターフレーム９５の一番上側の部位を確実に超える発射力となる回動操作量で遊技球が発射されると、遊技球は右側領域ＰＥ２を流下する。それらの間部分に相当する回動操作量の場合には、遊技球は、左側領域ＰＥ１と右側領域ＰＥ２との両方に分散して流下する。遊技者は、操作ハンドル４７の回動操作量を調整することで、左側領域ＰＥ１と右側領域ＰＥ２とのいずれの領域を遊技球が流下するかを選択して遊技を行うことができる。
【００４１】
遊技盤２３の最下部には、アウト口８６が設けられ、左側領域ＰＥ１または右側領域ＰＥ２を流下して最終的に各種入賞口等に入らなかった遊技球はアウト口８６を通って遊技領域２３ａから排出される。遊技領域２３ａには、遊技球の落下方向を適宜分散、調整等するために多数の釘８７が植設され、風車等の各種部材（役物）が配設されている。
【００４２】
ここで、入球とは、所定の開口部を遊技球が通過することを意味し、開口部を通過した後に遊技領域２３ａから排出される態様だけでなく、開口部を通過した後に遊技領域２３ａから排出されない態様も含まれる。但し、以下の説明では、アウト口８６への遊技球の入球と明確に区別するために、一般入賞口８１、可変入賞装置８２、上作動口８３ａ、下作動口８３ｂ又はスルーゲート８４への遊技球の入球を、入賞とも表現する。
【００４３】
上作動口８３ａ及び下作動口８３ｂは共に上向きに開放されている。また、上作動口８３ａが上方となるようにして両作動口８３ａ，８３ｂは鉛直方向に並んでいる。下作動口８３ｂには、左右一対の可動片よりなるガイド片（サポート片）としての電動役物８３ｃが設けられている。
【００４４】
上作動口８３ａ及び下作動口８３ｂは、遊技領域２３ａの下側領域ＰＥ３に設けられている。上作動口８３ａは、センターフレーム９５の下部に設けられて遊技球が上面を転動するステージの直下に配置され、センターフレーム９５で形成された誘導通路（図示略）を介してステージ上に誘導され、誘導通路を経由しない遊技球より上作動口８３ａへ入賞しやすい構成とされている。この誘導通路の入口は、センターフレーム９５において左側領域ＰＥ１に面する左側部分に設けられ、また、ステージの下側から飛び込む遊技球として、左側領域ＰＥ１からの方がステージに飛び込み易い釘８７の配置とされている。すなわち、左側領域ＰＥ１を遊技球が流下した場合の方が、右側領域ＰＥ２を遊技球が流下する場合に比べて上作動口８３ａへの入賞が発生しやすい設定とされている。
【００４５】
電動役物８３ｃは遊技板２３ｂの背面側に搭載された電動役物駆動部に連結されており、当該電動役物駆動部により駆動されて閉鎖状態（非サポート状態又は非ガイド状態）及び開放状態（サポート状態又はガイド状態）のいずれかに配置される。電動役物８３ｃの閉鎖状態では遊技球が下作動口８３ｂに入賞できず、電動役物８３ｃが開放状態となることで下作動口８３ｂへの入賞が可能となる。電動役物８３ｃは、下側領域ＰＥ３で左右両側に開放可能とされ、左側領域ＰＥ１を流下した遊技球及び右側領域ＰＥ２を流下した遊技球のいずれも入賞可能とされている。
【００４６】
スルーゲート８４は、右側領域ＰＥ２に設けられ、遊技領域２３ａの入口から遠い側へ届く一定以上の強い発射力で発射された遊技球が入球可能に構成されている。スルーゲート８４の下側には、可変入賞装置８２が設けられ、可変入賞装置８２も右側領域ＰＥ２に設けられている。
【００４７】
可変入賞装置８２は、通常は遊技球が入賞できない又は入賞し難い閉状態になっており、大当たり当選といった開閉実行モード（特別遊技状態）への移行当選となった際に、遊技球が入賞しやすい所定の開放状態に切り換えられるようになっている。可変入賞装置８２の開放態様として具体的には、所定時間（例えば３０秒間）の経過又は所定個数（例えば１０個）の入賞を１ラウンドとして、複数ラウンド（例えば１５ラウンド）を上限として可変入賞装置８２が繰り返し開放される。
【００４８】
スルーゲート８４及び可変入賞装置８２は、遊技領域２３ａの右側領域ＰＥ２に設けられ、右側領域ＰＥ２を遊技球が流下するように一定以上に強い発射力で遊技球が発射された場合にスルーゲート８４及び可変入賞装置８２に遊技球が入賞する。スルーゲート８４に遊技球を入球させた場合に電動役物８３ｃが遊技者にとって有利な開放状態とされ易い遊技状態（いわゆる時短遊技状態）や、可変入賞装置８２が開閉実行モードとされる特別遊技状態等、遊技領域２３ａの右側領域ＰＥ２に遊技球を流下させた場合に遊技者にとって有利となる遊技状態においては、遊技者は、右側領域ＰＥ２を数多く遊技球が流下するように操作ハンドル４７を操作する。これに対し、上作動口８３ａに遊技球を多く入賞させて内部抽選の当選を期待する通常の遊技状態においては、遊技者は、左側領域ＰＥ１を数多く遊技球が流下するように操作ハンドル４７を操作して遊技を実行することとなる。
【００４９】
遊技者にとって有利となる回動操作量は図柄表示装置９４やスピーカの音声によって遊技者に報知され、遊技状態が切り替わるときに、例えば、「右打ちをしてください。」または、「左打ちをしてください。」と遊技者に表示または音声によって報知し、或いは、遊技者によって不利となる側に遊技球が発射されていることが、スルーゲート８４の通過や一般入賞口８１の入賞によって遊技機が認識した場合に、上記した報知が実行されて遊技者に有利となる操作ハンドル４７の回動操作量が遊技者に示唆される。
【００５０】
図柄表示装置９４は、液晶ディスプレイを備えた液晶表示装置として構成されており、表示制御装置１４２により表示内容が制御される。なお、図柄表示装置９４は、液晶表示装置に限定されることはなく、プラズマディスプレイ装置、有機ＥＬ表示装置又はＣＲＴといった表示画面を有する他の表示装置であってもよく、ドットマトリクス表示器であってもよい。
【００５１】
図柄表示装置９４では、上作動口８３ａ又は下作動口８３ｂへの入賞に基づいて図柄の変動表示が開始される。図柄表示装置９４における変動表示は、正面視で視認可能な視認可能領域３００ａにおいて行われ、例えば上、中及び下に並べて図柄が表示され、これらの図柄が左右方向にスクロールされるようにして変動表示されるようになっている。そして、予め設定されている有効ライン上に所定の組み合わせの図柄が停止表示された場合には、開閉実行モードが発生することとなる。この図柄表示装置９４における変動表示は、主表示装置９６のメイン表示部において行われる変動表示に合わせて行われる。
【００５２】
可変表示ユニット８５に対して右上側には、遊技の状態を表示する主表示装置９６が設けられる。主表示装置９６は、複数の発光部が並んで配列されてなる表示器によって構成され、区画部材１０７の上端部に設けられ、その前面側には、例えば、左上側からメイン表示部、役物用表示部、状態表示部、保留表示部、補助表示部等が順に設けられる。
【００５３】
メイン表示部では、上作動口８３ａ又は下作動口８３ｂへの入賞をトリガとして絵柄の変動表示が行われ、その変動表示の停止結果として、上作動口８３ａ又は下作動口８３ｂへの入賞に基づいて行われた内部抽選の結果が表示によって明示される。つまり、本パチンコ機１０では、上作動口８３ａへの入賞と下作動口８３ｂへの入賞とが内部抽選において区別されておらず、上作動口８３ａ又は下作動口８３ｂへの入賞に基づいて行われた内部抽選の結果が共通の表示領域であるメイン表示部にて明示される。そして、上作動口８３ａ又は下作動口８３ｂへの入賞に基づく内部抽選の結果が開閉実行モードへの移行に対応した当選結果であった場合には、主表示装置９６のメイン表示部にて所定の停止結果が表示されて変動表示が停止された後に、開閉実行モードへ移行する。
【００５４】
ここで、いずれかの作動口８３ａ，８３ｂへの入賞に基づいて、メイン表示部及び図柄表示装置９４にて変動表示が開始され、所定の停止結果を表示し上記変動表示が停止されるまでが遊技回の１回に相当する。
【００５５】
役物用表示部では、スルーゲート８４への入賞をトリガとして絵柄の変動表示が行われ、その変動表示の停止結果として、スルーゲート８４への入賞に基づいて行われた内部抽選の結果が表示によって明示される。スルーゲート８４への入賞に基づく内部抽選の結果が電役開放状態への移行に対応した当選結果であった場合には、役物用表示部にて所定の停止結果が表示されて変動表示が停止された後に、電役開放状態へ移行する。電役開放状態では、下作動口８３ｂに設けられた電動役物８３ｃが所定の態様で開放状態となる。
【００５６】
補助表示部は、メイン表示部と同一の態様とされた発光部が設けられ、本実施形態におけるパチンコ機１０においては、消灯されたままとされている。この補助表示部は、本実施形態におけるパチンコ機１０とは別の他機種において上作動口８３ａへの入賞に対する内部抽選と下作動口８３ｂへの入賞に対する内部抽選とが区別される場合に点灯するものであり、メイン表示部を複数必要とする機種において使用される。
【００５７】
状態表示部は、メイン表示部にて所定の停止結果が表示されることで遊技状態が開閉実行モードへ移行し、その所定の停止結果の表示後における遊技回が所定回数に到達する等して遊技状態が開閉実行モード前の通常状態に移行する場合に、その遊技状態の変化が表示によって明示される。また、状態表示部では、開閉実行モードの移行当選となった場合に可変入賞装置８２の開放態様として複数種類のラウンド数が設定されている機種において移行当選となったラウンド数が表示によって明示される。
【００５８】
保留表示部は、遊技球が上作動口８３ａ又は下作動口８３ｂに入賞した個数及び遊技球がスルーゲート８４を通過した回数のうち未だ遊技が実行されていない保留状態の遊技回数を表示によってそれぞれ明示する。遊技球が上作動口８３ａ又は下作動口８３ｂに入賞した個数及び遊技球がスルーゲート８４を通過した回数はそれぞれ最大４個まで保留され、保留表示部によって各保留数がそれぞれ表示される。保留表示部の保留数に対応した情報は、図柄表示装置９４の表示画面にも表示され、保留数が数字又はキャラクタの個数などにより表示される。
【００５９】
なお、メイン表示部、役物用表示部、補助表示部、状態表示部及び保留表示部は、複数の発光部が所定の態様で配列されてなる表示器により構成されているが、これに限定されることはなく、いずれか一方または両方の表示部を液晶表示装置、有機ＥＬ表示装置、ＣＲＴ、セグメント表示器又はドットマトリックス表示器等その他のタイプの表示装置によって構成してもよい。また、メイン表示部及び役物用表示部にて変動表示される態様として、絵柄としての複数種の文字が変動表示される構成、複数種の記号が変動表示される構成、複数種のキャラクタが変動表示される構成又は複数種の色が切り換え表示される構成としても良い。
【００６０】
次に、遊技機本体１２の背面側の構成について、図４に加え、図７から図９を参照しながら説明する。図７は中間ユニット１３の背面図、図８は裏パックユニット１５の背面図、図９はパチンコ機１０の背面図である。
【００６１】
中間ユニット１３には、図７に示すように、枠ユニット２１によって開口形成される前後に貫通した遊技盤収容部２１ａが設けられ、この遊技盤収容部２１ａを通じて中間ユニット１３の背面側には遊技盤２３の背面側に搭載される各種部品が露出されている。
【００６２】
中間ユニット１３の背面側には、図４に示すように、合成樹脂により形成された箱状の盤裏カバー１４１が設けられている。盤裏カバー１４１は、遊技盤２３の背面のほぼ全域にわたって設けられ、遊技盤２３の背面側に設けられる各種部品を遊技球や搬送時において保護すると共に、遊技球の入賞を検知する検知センサ等を狙った不正を防止する機能を有している。
【００６３】
中間ユニット１３の背面側中央部には、図４に示すように、表示制御装置１４２と音声発光制御装置１４３とが前後に並んで設けられ、その下側には、遊技の主たる制御を司る主制御装置１６０が設けられている。表示制御装置１４２は、図柄表示装置９４の表示制御を司るものであり、音声発光制御装置１４３は、主制御装置１６０からの指示に従って音声やＬＥＤ、ランプ等の表示制御及び表示制御装置１４２の制御を司るものである。
【００６４】
主制御装置１６０は、図７に示すように、遊技の主たる制御を司る機能（主制御回路）と、電源を監視する機能（停電監視回路）とを有する主制御基板と、基板を収容するために設けられた透明性を有する樹脂製の基板ボックス１６３を備えている。また、主制御装置１６０には、基板ボックス１６３の開放に際して痕跡を残す痕跡手段としての開放封印部１６４が設けられている。当該開放封印部１６４は解除操作を一度行うと再結合を不可とするものであり、結果的に主制御装置１６０の基板ボックス１６３は一度開放操作を行うと、再度封印状態とすることが不可となっている。
【００６５】
主制御装置１６０の背面視右側端部には、図７に示すように、取付封印部１６５が設けられている。取付封印部１６５は、遊技盤２３側に設けられる支持部材と主制御装置１６０とを固定し、主制御装置１６０の取り外しに際して痕跡を残す痕跡手段として機能する。取付封印部１６５は、最初に主制御装置１６０を取り付けるための固定部品以外に、予備用の固定部品が３組設けられ、主制御装置１６０の点検作業における一時的な取り外しや主制御装置１６０の交換が可能とされている。
【００６６】
主制御装置１６０の背面視左部には、ＲＡＭ消去スイッチ１６６が設けられている。本パチンコ機１０は、各種データの記憶保持機能を有しており、万一停電が発生した際でも停電時の状態を保持し、停電からの復帰の際には停電時の状態に復帰できるようになっている。例えば遊技ホールの営業終了の場合のように通常手順で電源を遮断すると遮断前の状態が記憶保持され、ＲＡＭ消去スイッチ１６６を押しながら電源を投入すると、ＲＡＭデータが初期化されるようになっている。
【００６７】
枠ユニット２１の背面における回動基端側（図７の右側）には、上下に離間して支持金具１３２が設けられ、各支持金具１３２の上端部に形成される軸受け部１３３によって中間ユニット１３に対して裏パックユニット１５が回動可能に取り付けられる。また、枠ユニット２１の背面には、裏パックユニット１５を中間ユニット１３に固定するための固定レバー１３４が回動先端側（図７の左側）に複数設けられている。
【００６８】
次に、裏パックユニット１５について説明する。裏パックユニット１５は、図８に示すように、透明性を有する合成樹脂により形成された裏パック２０１と、払出ユニット２０２と、外部端子板２０３とを備えている。
【００６９】
裏パック２０１は、図８に示すように、裏パック２０１の周縁部を構成する裏ベース部２１１と、裏ベース部２１１から後方へ張り出すようにして形成された保護カバー部２１２とを有している。保護カバー部２１２は、左右側面と上面の全部が閉鎖され、背面下部から下面につながる一部分が開放された形状をなし、保護カバー部２１２の下側部分に前後方向に貫通した開口部２１２ａが形成されている。
【００７０】
外部端子板２０３は、図８に示すように、後方から見た裏パックユニット１５の右上側端部に設けられている。外部端子板２０３は、パチンコ機１０の状態を遊技ホールの管理コンピュータに認識させるために、所定の信号出力を行うための基板である。外部端子板２０３には、出力端子として、開閉実行モード中に信号出力するための出力端子、下作動口８３ｂの電動役物８３ｃが高頻度で開放状態となる電役開放状態中に信号出力するための出力端子、払出ユニット２０２において遊技球が不足した場合に信号出力するための出力端子、所定個数の賞球を払い出す毎に信号出力するための出力端子、所定個数の遊技球を貸し出す毎に信号出力するための出力端子、外枠１１に対する中間ユニット１３の開放時に信号出力するための出力端子、中間ユニット１３に対する前扉枠１４の開放時に信号出力するための出力端子などが設けられている。
【００７１】
裏パックユニット１５における背面視右側端部には、図８に示すように、上下一対の掛止ピン２０４が取り付けられている。この掛止ピン２０４を中間ユニット１３側の軸受け部１３３に挿通させることで、裏パックユニット１５が掛止ピン２０４を中心にして中間ユニット１３に対して回動可能に支持される。裏ベース部２１１における掛止ピン２０４が配置されていない反対側の端部には、中間ユニット１３に設けられた固定レバー１３４が挿通される挿通部２１１ａが上下に形成されている。固定レバー１３４が挿通部２１１ａに挿通されて９０度回転させた状態にすることで、固定レバー１３４の一部が裏ベース部２１１に後方から当接し、中間ユニット１３に裏パックユニット１５が固定される。
【００７２】
裏パックユニット１５は、上記したとおり、中間ユニット１３の背面に対して回動可能に軸支されている。裏パックユニット１５を中間ユニット１３に対して背面側から重ね合わせた状態では、図９に示すように、主制御装置１６０の大半は開口部２１２ａを介して背面側に露出し、主制御装置１６０の上端部及び開放封印部１６４の一部は保護カバー部２１２により覆われている。主制御装置１６０の上端部には他の制御装置と電気的に接続するためのコネクタ及び配線が設けられ、この配線に関する部位や開放封印部１６４の一部が保護カバー部２１２に覆われることで、主制御装置１６０の視認性を高めつつ、不正行為の抑制及び遊技球の衝突による破損防止等を実現している。主制御装置１６０の上側に配置される音声発光制御装置１４３等は、保護カバー部２１２により全体が覆われている。
【００７３】
裏パックユニット１５は、図８に示すように、保護カバー部２１２を迂回するようにして裏ベース部２１１に取り付けられている払出ユニット２０２を備えている。払出ユニット２０２は、裏パック２０１の最上部に設けられて遊技球を貯留可能に上方に開口したタンク２２１と、タンク２２１内の遊技球を下流側に向けて案内可能に緩やかに傾斜するタンクレール２２２と、タンクレール２２２の下流側にて上下方向に遊技球を案内するケースレール２２３と、ケースレール２２３の最下流部に設けられる払出装置２２４とを有し、これらが連結することでタンク２２１に補給された遊技球を必要数分だけ払出装置２２４の下流側に払い出し可能とされている。払出装置２２４によって払い出された遊技球は、払出装置２２４の下流側に設けられた裏側通路部２２５に供給される（図４参照）。
【００７４】
裏側通路部２２５には、払出装置２２４より払い出された遊技球を上皿２８ａ、下皿２９ａ又は排出通路の何れかに振り分けるための３つの通路が形成されている。これら通路のうち、裏パック２０１の中央側に位置する通路が上記した本体側上皿通路部１２２及び前扉側上皿通路部５１を介して上皿２８ａに通じ、その外側の通路が本体側下皿通路部１２３及び前扉側下皿通路部５２を介して下皿２９ａに通じ、更に外側の通路が排出通路とされている。払出装置２２４によって払い出された遊技球は、上皿２８ａの通路に優先して案内され、その通路が遊技球で満たされると、その通路から分岐した下皿２９ａに通じる通路に遊技球が案内される。排出通路は、ケースレール２２３に対して排出操作を行うことにより、タンク２２１からケースレール２２３の途中までの間に貯留された遊技球が払出装置２２４を経由せずに裏パックユニット１５の下端に設けられる排出口から排出される。
【００７５】
裏ベース部２１１の背面側下端部には、図８に示すように、各種制御装置等で要する所定の電力を生成して出力する電源装置２４１と、払出制御装置２４２とが前後に重ねて取り付けられている。電源装置２４１は、裏ベース部２１１の横幅全域にわたって設けられている。裏ベース部２１１の背面視右下側端部には、電源スイッチ２４７が設けられている。パチンコ機１０へは電圧変換器を介して例えば交流２４ボルトの主電源が供給され、電源スイッチ２４７の切換操作によりパチンコ機１０の電源がＯＮ又はＯＦＦとされる。
【００７６】
払出制御装置２４２は、払出ユニット２０２を通じた遊技球の払い出しを制御するための装置である。払出制御装置２４２は、基板を収容するために設けられた透明性を有する基板ボックス２４３に払出制御基板を収容して構成されており、その開放に際しては痕跡を残す痕跡手段として開放封印部２４４が設けられている。開放封印部２４４は解除操作を一度行うと再結合を不可とするものであり、結果的に払出制御装置２４２の基板ボックス２４３は一度開放操作を行うと、再度封印状態とすることが不可となっている。
【００７７】
裏ベース部２１１の前面側すなわち中間ユニット１３側の下部には、図４に示すように、上方に開口した横長の球入口２１３と、側方に開口した球入口２１４とを上流側端部とする発射球排出通路が設けられている。遊技領域２３ａを流下しいずれかの開口を介して遊技盤２３の背面へと導かれた遊技球は、２つの球入口２１３，２１４のいずれかを経由して発射球排出通路内へ進入する。発射球排出通路の出口部分は裏パックユニット１５の下端面に遊技球１個分の幅で開口して形成され、遊技領域２３ａ内に発射された遊技球は全て発射球排出通路を経由して遊技ホールの島設備に排出される。発射球排出通路の途中には、遊技球を検知する検知センサが設けられ、遊技領域２３ａ内に発射された遊技球数に対応した信号が外部端子板２０３を介して出力される。
【００７８】
次に、パチンコ機１０において糸を取り付けた遊技球（以下、不正球と称す。）を用いた不正行為に対応した構成について説明する。パチンコ機１０は、不正球を用いた不正行為を抑制するために、遊技領域２３ａへ発射される遊技球の発射力を用いて糸を切断する機能（以下、糸切断機能と称す。）と、遊技領域２３ａと上皿２８ａとの途中部分に配置された糸に接触して糸を巻き取る機能（以下、糸巻き取り機能と称す。）を有している。糸切断機能は、主として、遊技球発射機構１１０により構成され、糸巻き取り機能は、主として、遊技盤２３の下側部分に設けられる糸巻き装置４１１等により構成される。なお、不正行為を抑制する対象となる不正球としては、必ずしも遊技球に対して糸を取り付けたものに限らず、遊技球とは別の遊技球程度の大きさをした物体に対して糸を取り付けたものであっても良いし、糸としても樹脂や金属等の細長い糸状をした別の部材であっても良い。
【００７９】
まず、糸切断機能を構成する遊技球発射機構１１０の構成について、図１０から図１４を参照して説明する。図１０は、遊技球発射機構１１０の正面図であり、図１１は、前方から見た遊技球発射機構１１０の分解斜視図である。図１２（ａ）は、球送り装置１１３を構成する球送りケース部材３３１及び切断部材３３４を背面上側から見た分解斜視図であり、図１２（ｂ）は、球送りケース部材３３１及び切断部材３３４を背面下側から見た分解斜視図である。図１３は、球送り装置１１３及び上皿２８ａを模式的に示した背面図であり、図１４は、図１０のＡ−Ａ線で切断した球送り装置１１３の斜視図である。なお、図１１及び図１４においては、発射レール１１２上の発射位置で待機する遊技球を併せて示し、また、図１４においては球送り支持部材３０２を一点鎖線で示している。
【００８０】
遊技球発射機構１１０は、上記したように、発射用ソレノイド１１１と、発射レール１１２と、球送り装置１１３とを備え、更に、発射用ソレノイド１１１及び発射レール１１２を含む複数の部材が取り付けられる金属製のベース部材３０１と、ベース部材３０１の前面側に取り付けられて球送り装置１１３を支持する合成樹脂製の球送り支持部材３０２と、発射レール１１２上の遊技球を発射位置に支持する球止め部材３０３を備えている。
【００８１】
ベース部材３０１は、図１０に示すように、正面視において、上端が水平で、下端が左上がり、右側端部が上下に延びて左右方向に起伏した略三角形状に形成されたアルミ製の部材である。ベース部材３０１の周縁には、前後に貫通する複数の取付穴が設けられ、これら取付穴にネジが挿通されてベース部材３０１により一体化される遊技球発射機構１１０が中間ユニット１３（枠ユニット２１）の前面側に固定される（図３参照）。
【００８２】
ベース部材３０１の前面側には、左上がりに発射レール１１２が取り付けられ、その発射レール１１２の右下側に発射用ソレノイド１１１が取り付けられている。発射レール１１２は、断面Ｍ字状に形成され、その上面における凹み部分にて遊技球が支持される。発射レール１１２の右下側端部における上側には、発射レール１１２から遊技球１個分より少ない間隔を隔てて球止め部材３０３が設けられ、発射レール１１２と球止め部材３０３によって遊技球が発射位置にて待機した状態に保持可能とされている。
【００８３】
発射用ソレノイド１１１において遊技球に打撃力を付与するプランジャ１１４は、発射レール１１２の上面に相当する遊技球の発射経路と略平行に動作可能に設けられている。プランジャ１１４の動作方向は、発射レール１１２の上面と略平行となるように設定され、その設定となるように発射用ソレノイド１１１と発射レール１１２とがベース部材３０１に取り付けられている。また、発射用ソレノイド１１１はベース部材３０１に対して複数箇所でネジにより固定され、これらネジの締め付け具合を調整することで、発射レール１１２に対する発射用ソレノイド１１１の前後位置及び傾きが調整可能とされている。
【００８４】
球送り支持部材３０２は、図１１に示すように、ベース部材３０１の前面上側部分に取り付けられた横長で透明なポリカーボネート等の合成樹脂製部材である。この球送り支持部材３０２は、横長で前後に厚みを有する支持本体部３１１と、支持本体部３１１の上縁より後側に延出する支持上面部３１２とを備えている。これら支持本体部３１１及び支持上面部３１２に対して、ベース部材３０１には、それらの左右両側及び下側に位置するように前側に突出する突状部３０１ａが設けられ、球送り支持部材３０２がベース部材３０１の突状部３０１ａにより左右及び上下方向において位置決めされ、ベース部材３０１の背面側より挿通されるネジによりベース部材３０１の前面側に固定されている。
【００８５】
球送り支持部材３０２の右側端部には、図１１に示すように、前側にＵ字状に突出し、上下に貫通する取付穴を形成する球送り取付部３１３が上下方向に間隔を隔てて２カ所に設けられている。球送り装置１１３には、図１１に示すように、球送り支持部材３０２の球送り取付部３１３に係合可能な被取付部３２１が、上下方向に厚みを有する支持面から下方に突出する軸状に形成されている。球送り装置１１３の右側部分は、球送り支持部材３０２の球送り取付部３１３の上面に支持面が支持され、軸部分が球送り取付部３１３内に挿通されることにより、球送り支持部材３０２に軸部分が位置決めされた状態で前側に回動可能に支持される。
【００８６】
球送り支持部材３０２の支持本体部３１１における上縁に沿った左右方向略中央部分には、図１１に示すように、前側に突出する上側支持突部３１４が設けられている。また、ベース部材３０１における発射レール１１２の下側には、前側に突出する下側支持突部３０１ｂが設けられている。これら支持突部３０１ｂ，３１４は、球送り装置１１３が取り付けられた状態で球送りケース部材３３１の一部に下側から当接し、球送り装置１１３の中央部及び左側端部がベース部材３０１により支持される。
【００８７】
球送り支持部材３０２の支持本体部３１１における左側端部には、図１１に示すように、前後方向に貫通し、更に、その貫通孔の奥側にて左側に凹んだ形状の係合受け部３１５が設けられている。係合受け部３１５は、球送り装置１１３に係合する部位であり、その係合受け部３１５の周りには、右側及び前側が開口しつつ前側に突出する上下及び左側に位置する壁部が設けられている。球送り装置１１３の背面視右上側部には、図１２（ａ）に示すように、係合受け部３１５に係合可能に後側に突出し、先端部が外方側に突出して形成された係合爪部３２２が設けられ、球送り支持部材３０２に対して前面側から球送り装置１１３を押し込み操作することで球送り装置１１３の係合爪部３２２が球送り支持部材３０２の係合受け部３１５周りの壁部に案内されつつ一部が弾性変形することで係合受け部３１５内に入り込み、係合受け部３１５の奥側にて左側に凹んだ部位に嵌合される。この嵌合により球送り装置１１３が球送り支持部材３０２に対して固定される。
【００８８】
球送り支持部材３０２の支持本体部３１１は、図１１に示すように、その左端部が発射レール１１２の右側部分の上側に位置し、支持本体部３１１の右端部が発射用ソレノイド１１１の中央より右側の部位の上側に位置する長さに設定されている。支持本体部３１１の前面左側部分には、左側が前側に大きく突出し、右側に行くに従って次第に突出量が少なく設定された進路変更突出部３１６と、進路変更突出部３１６の右側部分に連続し、周辺よりも一段前側に高く形成された球受け後側壁部３１７とが設けられている。
【００８９】
進路変更突出部３１６は、球送り装置１１３においてパチンコ機１０の後方に向かって案内された遊技球の進行方向を右側に変更し、更に、下側に案内する通路の一部であってパチンコ機１０の背面側の案内壁を形成する部位である。進路変更突出部３１６における右側には、周辺部分より一段前側に突出して前面側を向く形状に形成された球受け後側壁部３１７が連続して設けられており、球受け後側壁部３１７及び進路変更突出部３１６が球送り装置１１３側に突出した形状とされている。なお、図１１及び図１２（ａ）には、進路変更突出部３１６等に当接して下流側に案内される遊技球の進路を矢印に記号を付して示している。
【００９０】
球受け後側壁部３１７は、球送り装置１１３と共に遊技球を１球ずつ下流側へ流下させるための機能を有する。球受け後側壁部３１７は、球送り装置１１３に設けられる球送りレバー３３３の上昇時に球送りレバー３３３の球受け部３８１の後側に位置し、球受け部３８１内に遊技球が１球だけ入り込み可能な空間を形成する突出量に設定されている。球受け後側壁部３１７の下側は、球送りレバー３３３の下降時に球受け部３８１内の遊技球が後側に流下可能であって遊技球に当接しない高さ位置に設定されている。
【００９１】
球送り装置１１３は、上皿２８ａに貯留された遊技球を発射レール１１２上に１個ずつ供給する装置であり、球送りケース部材３３１と、球送り用ソレノイド３３２と、球送りレバー３３３と、切断部材３３４とを備えている。
【００９２】
球送りケース部材３３１は、図１１に示すように、横長略矩形状で透明なポリカーボネート等の合成樹脂製部材であり、上皿２８ａに貯留された遊技球を発射レール１１２側に流下させる通路形成部材としての機能と、発射レール１１２側に遊技球を１球ずつ供給する球送り手段を構成する球送り用ソレノイド３３２と球送りケース部材３３１とを一体化する一体化部材としての機能と、球送り手段としての球送り用ソレノイド３３２と球送りケース部材３３１との前面側及び上側を覆って遊技球の衝突や異物の侵入を防止する保護部材としての機能を有し、これら機能を形成する部位が一体化された部材である。
【００９３】
球送りケース部材３３１は、図１１に示すように、正面視左側部分に通路形成部材として遊技球が流下する通路部を形成する。この通路部としては、図１１に矢印で示す方向に沿って、前側から後側に遊技球を案内可能に前後方向に貫通する前後通路部Ｒ１と、前後通路部Ｒ１を流下した遊技球を右下側に流下させる右下側案内部Ｒ２とが、球送りケース部材３３１の内側に形成されている。前後通路部Ｒ１及び右下側案内部Ｒ２は、遊技球が１列に案内される通路幅に設定され、遊技球が２列になることがなく、また、遊技球が２列にならないまでも通路が広すぎることで複数の遊技球が通路内に填まり込んで流下しなくなったりすることがないよう、遊技球を支持する壁面及びリブ状の突出部分の高さが設定されている。この遊技球を支持する壁面または突出部の高さとして、本実施形態においては、遊技球の直径より大きく、遊技球の直径の１．２倍より小さく設定され、遊技球が僅かに蛇行した状態で１列に連なる設定とされている。この通路幅及び高さとしては、遊技球の直径に対して、１．５倍より少なく設定することが好ましく、１．２倍より少なく設定することが好適である。
【００９４】
前後通路部Ｒ１は、図１１に示すように、後側へ遊技球を案内する通路部分であり、球送りケース部材３３１の前面部における正面視左上側端部に開口形成された略正方形状の貫通孔の外周部分により形成されている。詳しくは、前後通路部Ｒ１は、図１２及び図１４に示すように、その開口の下側の縁部分より後側に下り傾斜した壁面にて構成された後側傾斜底面３４１と、開口の左右の縁部分より後側に連続した壁面にて構成された前後通路左壁面３４２及び前後通路右壁面３４３によって形成されている。前後通路部Ｒ１の上側部分は、左右方向に厚みを有して球送りケース部材３３１の上面を形成する上壁部３４４からリブ状に下側に突出した上側リブ３４５の下面により形成されている。
【００９５】
右下側案内部Ｒ２の上流側部分は、前後通路部Ｒ１を形成する前後通路左壁面３４２の下端より右側に下り傾斜しつつ延びる右側傾斜底面３４６によって形成されている。前後通路部Ｒ１を形成する左右の壁面３４２，３４３は、前後通路右壁面３４３の方が前後通路左壁面３４２に比べて後端部が前側に位置し、前後通路右壁面３４３の後側が短く形成されることにより右下側案内部Ｒ２として遊技球を右側に案内する空間が形成される。
【００９６】
右下側案内部Ｒ２の下流側部分は、図１２（ａ）に示すように、右側傾斜底面３４６における下側に相当する端縁３４６ａより下方に連続する下側案内側壁面３４７によって一方側の側面が形成されている。右下側案内部Ｒ２の下流側部分における前側部分は、前後通路右壁面３４３の後側端縁を形成する面に後側の面が一致し、前後に厚みを有する壁面が下方に連続する下側案内前壁面３４８により形成されている。
【００９７】
下側案内側壁面３４７は、図１４に示すように、左右方向に厚みを有して上下方向に延びる壁部における右側を向く面で構成されている。この下側案内側壁面３４７は、発射レール１１２に対しては前後方向に重なりつつ交差し、その交差部分より発射レール１１２の左上側部分に相当する発射方向先端側に対して前側から見て鋭角となるように設定されている。この発射レール１１２の左上側部分と下側案内側壁面３４７との成す角度を鋭角に設定することで、下側案内側壁面３４７に接触した不正球の糸は、発射レール１１２上の発射経路に沿って不正球が移動することで下側案内側壁面３４７に接触しつつ次第に上昇可能とされ、下側案内側壁面３４７の上側端部に位置する切断部材３３４側へ不正球の糸を案内可能とされている。
【００９８】
球送りケース部材３３１の左右方向における中央部分には、図１１に示すように、球送り手段を構成する球送り用ソレノイド３３２と球送りレバー３３３の前側を覆う前壁部３５０が設けられている。また、球送りケース部材３３１の上側部分は、上下に厚みを有して左右方向に延びる横長矩形状の上壁部３４４が設けられ、上壁部３４４は、球送り用ソレノイド３３２と球送りレバー３３３の上側を覆うのに十分な大きさに設定され、また、球送りケース部材３３１の左側部分によって形成される前後通路部Ｒ１及び右下側案内部Ｒ２の上側を覆う大きさとされている。
【００９９】
球送りケース部材３３１の前壁部３５０の後側には、図１２（ｂ）に示すように、後側に突出する円柱状の取付筒部３４９が左右方向に離間して２つ設けられている。この取付筒部３４９の間隔は、球送り用ソレノイド３３２の本体部分が入り込み可能な間隔に設定されている。この取付筒部３４９には、図１１に示すように、球送り用ソレノイド３３２の本体部分から左右両側に突出する取付部の固定穴を通じて挿通される固定ネジが座金を介して取り付けられ、球送り用ソレノイド３３２が球送りケース部材３３１に一体化される。
【０１００】
球送りケース部材３３１の前壁部３５０における球送り用ソレノイド３３２の下側には、図１３に示すように、球送りレバー３３３が取り付けられている。球送りレバー３３３には、図１１に示すように、その右側端部に前後方向に貫通する貫通穴が形成された支持孔部３７１が設けられている。この支持孔部３７１の貫通孔に対しては、後側から支持ピン３３５が挿通され、その支持ピン３３５の前側端部が前壁部３５０に設けられる支持孔に圧入固定されている。この固定により支持ピン３３５を中心にして球送りレバー３３３が球送りケース部材３３１に対して揺動可能に支持される。
【０１０１】
球送りケース部材３３１において球送りレバー３３３の下側には、図１３に示すように、球送りレバー３３３の下側に当接して球送りレバー３３３の移動範囲を制限する球送りレバー支持部３５３が前壁部３５０より後側に突出して設けられている。球送りレバー３３３は、球送り用ソレノイド３３２が非通電の状態においては自重により支持ピン３３５を中心として左側部分（図１３における右側部分）が下降し、球送りレバー支持部３５３に下側が支えられて支持される。
【０１０２】
球送りケース部材３３１の正面視右側端部には、図１１に示すように、球送り用ソレノイド３３２の配線（図示省略）を通すための配線部３５１が、左右方向に隙間を隔てるようにして上下に延びる壁と、配線を掛けるフック部により形成されている。また、配線部３５１の右側には、球送りケース部材３３１により球送り用ソレノイド３３２、球送りレバー３３３および切断部材３３４等が一体化された球送り装置１１３を、球送り支持部材３０２に回動可能に支持させるための被取付部３２１が設けられ、球送りケース部材３３１によって複数の部材を一体化する一体化部材としての機能が実現されている。
【０１０３】
球送りケース部材３３１の背面視右下側端部には、図１２（ａ）に示すように、縦長矩形状で後側を向いた平面状の表示部３５２が設けられている。表示部３５２は、前後に厚みを有する板状に形成され、球送りケース部材３３１を背面側から視認した場合に縦書きで「エッジ注意」の文字が視認可能とされている。この表示部３５２は、表示部３５２の隣に設けられる金属製の切断部材３３４において部分的に尖って形成されたエッジ部分によって作業者が怪我等することがないように注意を促すための部位である。球送りケース部材３３１が球送り支持部材３０２に対して被取付部３２１を軸として前側に開放されるように相対的に移動した場合には、球送りケース部材３３１の裏側に切断部材３３４が露出することとなるものの、作業者は表示部３５２を視認して切断部材３３４の存在を認識し、切断部材３３４に注意を払って作業を進めることができる。表示部３５２の注意書きは、塗装または印刷により表示しても良いし、球送りケース部材３３１の表示部３５２の前面又は背面に起伏を設けて文字を形成し、起伏した文字を視認可能に形成しても良い。
【０１０４】
球送りレバー３３３は、図１１に示すように、有色で合成樹脂製のレバー本体３６１と、レバー本体３６１に取り付けられる金属製の金属板３６２とにより構成されている。レバー本体３６１は、支持ピン３３５が入り込む貫通孔を形成する支持孔部３７１と、支持孔部３７１に対して球送り用ソレノイド３３２が設けられる左側に連続し、上面に金属板３６２が取り付けられる本体部分としての金属板支持部３７２と、金属板支持部３７２の更に正面視左側にて左側にコ字状に開口し、前後に延びる形状に形成された球係合部３７３とを備えている。
【０１０５】
金属板支持部３７２は、左右両端部において中央側が開口しつつ前後に延びる断面コ字状で金属板３６２を、上側部分が露出されるようにして挟み込み支持可能に形成され、上下方向に厚みを有する向きで前面側より金属板３６２が差し込まれて取り付けられる。金属板支持部３７２における金属板３６２収容部分の前側には、上下方向に弾性変形可能なフック部が設けられ、このフック部に前側部分が押さえられて金属板３６２が抜き出し不能に固定される。
【０１０６】
球送りレバー３３３の上側には、図１３に示すように、球送りレバー３３３における金属板３６２の上面に対面するようにして球送り用ソレノイド３３２が取り付けられている。球送り用ソレノイド３３２は、通電状態となった場合に、金属板３６２が球送り用ソレノイド３３２に近づく方向側に磁力を発生するものであり、この球送り用ソレノイド３３２の通電状態を制御することで、球送りレバー３３３は上下に揺動動作する。
【０１０７】
発射用ソレノイド１１１と球送り用ソレノイド３３２とは、遊技球の発射間隔に応じた間隔を隔てて、例えば、略０．６秒毎に動作する。また、球送り用ソレノイド３３２が動作した後に遊技球が発射位置に配置されるまでの所定の時間差で、例えば、０．５秒の時間差で発射用ソレノイド１１１が通電されることで、球送り用ソレノイド３３２と発射用ソレノイド１１１とが同期して動作し、遊技球が一定の時間間隔で遊技領域２３ａへ発射される。この球送り用ソレノイド３３２と球送りレバー３３３の構成及び発射制御との動作タイミングについては、周知の構成及び制御を採用することができる。また、球送り用ソレノイド３３２をモータ等の別の駆動力により動作する構成とし、又は球送り用ソレノイド３３２（球送り装置１１３）を前扉枠１４に設ける等、他の構成を採用しても良く、球送り用に駆動力を発生する専用の部品を設けずに発射機構に連動する機構部品により球送り動作をする構成としても良い。
【０１０８】
球係合部３７３は、図１３に示すように、通路部としての右下側案内部Ｒ２側にコ字状に開口し、その開口部分に相当する球受け部３８１が上下に移動することで、球送りケース部材３３１により形成される通路部を通過する遊技球を１球ずつ下流側に流下させる部位である。球係合部３７３の上側には、左側（図１３の右側）に突出する上側縁部３８２が設けられており、球係合部３７３が下側に位置した状態において上側縁部３８２が通路部の一部である右下側案内部Ｒ２に介在して右下側案内部Ｒ２より下流側への遊技球の流下を阻止する。この阻止状態に対して球係合部３７３が上側へ移動した場合には、上側縁部３８２の下側に位置する球受け部３８１が右下側案内部Ｒ２に面する位置に配置される。
【０１０９】
球受け部３８１は、図１３に示すように、遊技球１個を受け入れ可能な大きさに設定され、右下側案内部Ｒ２に球受け部３８１が面した状態においては、遊技球が球受け部３８１内に入り込み、右下側案内部Ｒ２に到達していた遊技球が流下する。球送りレバー３３３は、遊技球が球受け部３８１内に入り込むのに十分な時間、上側に移動するように制御される。球受け部３８１の上昇時には、球受け部３８１内に入った遊技球の後側への移動が球受け後側壁部３１７により阻止されて、１球だけ球受け部３８１内に遊技球が入り込む。その後、球受け部３８１が下降することで、球受け部３８１内に入っていた遊技球の後側への移動が許可されて遊技球は後側へ進行し、後続の遊技球は、球係合部３７３に当接して球係合部３７３の上流側に滞留する。球送りレバー３３３は、球送り用ソレノイド３３２が制御されることで上下動し、これにより、遊技球が１球ずつ右下側案内部Ｒ２を通じて下流側へ流下する。
【０１１０】
球係合部３７３における球受け部３８１の下側には、図１１に示すように、左側に突出する球係合下板部３８３が設けられている。球係合下板部３８３は、上下に厚みを有する板状に形成されると共に、球受け部３８１内に入り込んだ遊技球の下側部分を支持して後側に案内可能なように、上面が後側に下り傾斜した設定とされている。球受け部３８１内に入り込んだ遊技球は、球係合下板部３８３により後側に案内され、その後側に位置する発射レール１１２の上側に送られることとなる。
【０１１１】
球係合下板部３８３は、右下側案内部Ｒ２の下流側に連続し、後側に遊技球が案内される遊技球の通路部としての発射経路側通路部Ｒ３の一部を形成する。発射経路側通路部Ｒ３は、後側が開口した穴状の部位であり、下側が球係合下板部３８３により形成され、右側及び上側が球受け部３８１を形成する内面により形成され、左側が球送りケース部材３３１の下側案内側壁面３４７により形成され、前側が球送りケース部材３３１の下側案内前壁面３４８により形成される。
【０１１２】
切断部材３３４は、図１２（ａ）に示すように、薄板状の金属板を屈曲して形成された部材であり、遊技領域２３ａへ発射される遊技球の発射力を用いて糸を切断する部材である。切断部材３３４には、前後方向に貫通してネジが挿通される貫通孔が設けられる取付板部３９１を有し、取付板部３９１の上側端縁より後側に連続し、更に上側に突出する段差を有する形状に形成されている。
【０１１３】
切断部材３３４には、取付板部３９１より後側であって上側に突出する切断板部３９２が前後に厚みを有する略矩形状に形成され、図１３に示すように、背面視左側の端縁には、背面視左側に相当する入口部分が上下に広く、背面視右側に相当する奥側に行くに従って次第に開口幅が小さく設定された切断部３９３が設けられている。
【０１１４】
切断部３９３は、図１２（ｂ）に示すように、切断板部３９２の外縁の一部であって切断部３９３の上側部分を形成する切断部上側縁部３９４と、図１２（ａ）に示すように、切断板部３９２の外縁の一部であって切断部３９３の下側部分を形成する切断部下側縁部３９５とを有している。切断部上側縁部３９４は、切断部３９３の奥側に対して斜め上方に略２５度の角度に設定され、切断部下側縁部３９５は、切断部３９３の奥側に対して斜め下方に略２５度の角度に傾斜する設定とされ、切断部３９３として見た場合には、切断部３９３の奥側に対して略５０度の角度で一方側に開口した形状とされている。
【０１１５】
切断板部３９２は、図１２（ｂ）に示すように、切断部３９３の下側に相当する切断板下側部３９６及び左側部分（図１２（ｂ）における右側部分）に相当する切断板基部３９７が同一平面をなす形状とされている一方、切断部３９３の上側部分は、正面視右側（図１２（ｂ）の左側）に相当する部位ほど後側に位置するように後方に傾斜した形状の切断板上側部３９８を有する形状とされている。切断板上側部３９８は、切断板基部３９７と連続する上下に延びる屈曲角部３９９を基準として後側に屈曲し、その屈曲角度は、切断板基部３９７に対して切断板上側部３９８が略１５度傾いて後側に連続する形状とされている。また、切断板上側部３９８の先端側に相当する右側端縁部は、切断板上側部３９８に対して前側に屈曲した形状とされ、切断板基部３９７及び切断板下側部３９６と略平行とされている。
【０１１６】
切断部３９３において略５０度の角度で開口した入口部分の奥側には、図１２（ｂ）に示すように、切断部上側縁部３９４と切断部下側縁部３９５とが上下に隙間無く位置するように、すなわち切断部上側縁部３９４と切断部下側縁部３９５とが正面視で略直線上に位置する形状のスリット４０１が設けられている。このスリット４０１は、切断板上側部３９８の屈曲角部３９９より背面視左側に設けられ、金属板の一部を厚み方向に分離することで切断部上側縁部３９４と切断部下側縁部３９５とを形成しつつ前後にずれるように曲げ加工を施した切込み加工により形成される。この切込み加工により形成されたスリット４０１は、切断部下側縁部３９５における後側の角部分と、切断部上側縁部３９４における前側の角部分との隙間が次第に減少することで奥底側が鋭く尖った形状とされる。このスリット４０１により、切断部上側縁部３９４と切断部下側縁部３９５との間に糸が挟まれて奥底側に糸が移動する力が作用した場合に糸が切断され易いものとすることができる。
【０１１７】
切断部材３３４は、図１２（ａ）に示すように、球送りケース部材３３１の右側傾斜底面３４６と下側案内側壁面３４７とに対して、通路部とは反対側に相当する裏面側に取付板部３９１が位置するようにして球送りケース部材３３１に座金を介してネジにより固定される。一方、切断部材３３４の切断板部３９２は、球送りケース部材３３１の右側傾斜底面３４６と下側案内側壁面３４７の上側端部に対して、発射レール１１２が設けられる後側に配置されている。切断板部３９２は、取付板部３９１に対してネジの頭部及び座金が取付板部３９１の後側に位置するよりも更に後側に位置するように段差を設けて形成され、取付板部３９１の後側に位置するネジ及び座金が球送りケース部材３３１の後側に突出しない構成とされている。
【０１１８】
球送りケース部材３３１に固定された切断部材３３４の切断部３９３は、図１４に示すように、右側傾斜底面３４６と、下側案内側壁面３４７とが連続する端縁３４６ａに対して切断部３９３の入口の下側部分が後側に重なるように設けられる。また、右側傾斜底面３４６の右下がりの傾斜角と、切断部３９３の入口下側部分を形成する切断部下側縁部３９５の右下がり部分は、略一致した角度に設定され、切断部３９３の切断部下側縁部３９５の一部と、右側傾斜底面３４６とが前後に重なる高さに設定されている。
【０１１９】
切断部材３３４の切断部３９３における切断板上側部３９８は、図１４に示すように、右側傾斜底面３４６より上側に設けられ、この切断板上側部３９８の上側には、球送り支持部材３０２の進路変更突出部３１６が位置している。球送りケース部材３３１の前後通路部Ｒ１を後側に案内された遊技球は、切断部材３３４に当接する前に進路変更突出部３１６に接触し、右下側案内部Ｒ２に沿った右側に案内される。
【０１２０】
下側案内側壁面３４７の後側における上端部は、図１４に示すように、下側部分より前側に凹んだ段状に形成され、その凹んだ前側部分が右側傾斜底面３４６の後端側に一致した位置とされている。この下側案内側壁面３４７の上端部には、切断部材３３４の切断板下側部３９６が配置され、下側案内側壁面３４７は、切断板下側部３９６より下側部分において切断板下側部３９６より後側に突出した突出縁部３４７ａを有する形状とされている。この突出縁部３４７ａは、発射レール１１２において遊技球が案内される上面より下側まで延びる長さに設定され、発射位置に待機される遊技球の下端より下側まで延びる長さに設定されている。
【０１２１】
次に、不正球が発射される場合に糸が切断される過程について、図１５から図１７を主に参照しつつ説明する。図１５及び図１６は、遊技球発射機構１１０において不正球の糸が球送り装置１１３により発射レール１１２上に送られて切断されるまでの過程を示した遊技球発射機構１１０の正面図である。図１５（ａ）は、不正球が球送りレバー３３３により右下側案内部Ｒ２内に支持された球送り前の状態を示し、図１５（ｂ）は、球送りレバー３３３が上側に移動して不正球が球送り可能となった状態を示し、図１５（ｃ）は、球送りレバー３３３の球係合下板部３８３により不正球が後側に案内される状態を示し、図１６（ａ）は、不正球が発射位置に待機した状態を示し、図１６（ｂ）は、不正球が発射された状態を示している。図１７は、遊技球発射機構１１０の通路部分を拡大視して示した平面図であり、球送りケース部材３３１の上部を切断して示している。なお、図１５から図１７においては理解の容易のために不正球を図示し、図１７においては遊技球を支持する上向きの面において遊技球が下降する下側傾斜した方向側を矢印で示している。
【０１２２】
球送り装置１１３に対して遊技球は、図１３に示すように、上皿２８ａから遊技球が１列に並んだ状態で供給される。上皿２８ａに投入された遊技球は、球送り装置１１３に案内され、球送り装置１１３の球送りレバー３３３が上下動する毎に１球ずつ、発射レール１１２側に導かれる。遊技球に糸を取り付けた不正球を上皿２８ａに投入した場合には、その不正球は、下流側に位置した遊技球が発射される毎に次第に下流側に案内され、球送りレバー３３３に支持された状態となる。
【０１２３】
この不正球が球送りレバー３３３に支持された状態においては、図１５（ａ）に示すように、球送りレバー３３３に対して正面視左側に遊技球が位置し、この不正球の中心より下側に切断部材３３４の切断部３９３の入口が配置されている。この球送りレバー３３３と、不正球とは、発射レール１１２の長手方向に沿って並んだ配置とされ、発射方向先端側に相当する正面視左上側に不正球が位置し、不正球に対して発射方向とは逆となる側（以下、発射方向後端側と称す。）に球送りレバー３３３の上側縁部３８２が位置している。
【０１２４】
球送りレバー３３３に不正球が支持された状態に対して球送り用ソレノイド３３２が通電されると、球送りレバー３３３の球係合部３７３側が、図１５（ｂ）に示すように、支持ピン３３５を中心に上側に揺動する。球係合部３７３が上側へ移動することで、不正球が球送りレバー３３３の上側縁部３８２が位置していた発射方向後端側へ移動可能な状態となり、不正球が自重により発射方向後端側へと落下する。この落下した不正球は、図１５（ｃ）に示すように、球係合下板部３８３に支持される。
【０１２５】
球係合下板部３８３の上面は、発射レール１１２が設けられるパチンコ機１０背面側に下降傾斜している。このため、球係合下板部３８３に下側部分が支持されていた不正球は、発射レール１１２の上側へ案内され、図１６（ａ）に示すように、発射レール１１２の上面を発射方向後端側へと下って発射位置に配置される。
【０１２６】
不正球が発射位置に配置されると、発射用ソレノイド１１１が操作ハンドル４７の操作量に応じた強さで動作し、図１６（ｂ）に示すように、不正球が発射される。不正球が発射されると、発射レール１１２に沿って不正球が発射方向先端側へと移動し、それに伴って不正球に取り付けられた糸が発射方向先端側へと次第に引っ張られた状態となる。この不正球による糸の引張力により、不正球が投入された上皿２８ａと、発射レール１１２上を経由して遊技球が進行する発射経路との間部分において不正球の糸が弛んでいた状態から次第に緊張した状態へと遷移し、通路部内において、糸の経路が短縮される方向側へと糸の途中部分が移動することとなる。
【０１２７】
不正球が発射レール１１２側へ案内されるまでに、不正球は、図１７に示すように、切断部材３３４の切断部３９３の前側にて発射方向後端側へ案内され、その後に切断部３９３の入口が開口する方向に相当する右側を通過してから、発射用ソレノイド１１１によって発射方向先端側へと発射される。このため、不正球の発射により糸の経路が短縮されることで、糸の途中部分が切断部材３３４の切断部３９３の入口が配置される左側へと移動し、その後に切断部３９３の奥側に糸の途中部分が達することで不正球の糸が切断される。この糸の切断により、不正行為を行おうと犯罪者が糸の一端部分を操作しても、不正球を操作することができなくなり、不正球を用いた不正行為を防止することができる。
【０１２８】
ここで、本実施形態におけるパチンコ機１０においては、切断部材３３４の切断部３９３の配置及び切断部３９３の周辺部材の構成により、不正球の糸が切断部３９３内に入り込み易く、切断部３９３を小さく形成しつつも不正球の糸が切断され易い構成とされている。この点について、主に図１８を参照して説明する。図１８は、不正球の糸が切断される過程を図１５及び図１６とは別の方向から拡大視して示した図である。
【０１２９】
詳細には、図１８（ａ）及び図１８（ｂ）は、図１５（ａ）に相当する不正球の球送り前の状態を示し、図１８（ｃ）及び図１８（ｄ）は、図１６（ａ）に相当する不正球が発射位置に待機した状態を示し、図１８（ｅ）及び図１８（ｆ）は、図１６（ｂ）に相当する不正球が発射された状態を示している。また、図１８（ａ）、図１８（ｃ）及び図１８（ｅ）は、球送り装置１１３を背面側から視認した状態を発射レール１１２と共に示している。図１８（ｂ）、図１８（ｄ）及び図１８（ｆ）は、図１０のＡ−Ａ線で切断した遊技球発射機構１１０を示し、図１８（ｂ）においてはベース部材３０１を図示し、図１８（ｄ）及び図１８（ｆ）においてはベース部材３０１を省略して示している。
【０１３０】
第１に、不正球の糸は、切断部３９３の入口に対して下側から案内されて入り込むようにしてある。すなわち、球送りレバー３３３に不正球が支持された状態においては、図１８（ｂ）に示すように、切断部材３３４の切断部３９３の入口が貫通する前後方向の一方側に相当する前側に不正球が位置している。この支持状態に対して球送りレバー３３３が上側へ移動すると、不正球は、切断部３９３の前側に位置した状態のままで右下側案内部Ｒ２を通じて下方へ落下する。右下側案内部Ｒ２によって下方へ移動した不正球は、球送りレバー３３３の球係合下板部３８３によって切断部３９３の位置より下側にて後方へ案内され、切断部３９３の入口に対して後側に位置する発射レール１１２の上に不正球が移動する。このように不正球が移動することで、不正球の糸は、図１８（ｄ）に示すように、切断部３９３の入口に対して発射方向後端側において下側に配置される構成とされている。
【０１３１】
発射レール１１２は、図１８（ｅ）に示すように、切断部３９３の後側であって切断部３９３の入口より下側を経由し、発射方向先端側において切断部３９３の入口より高くなるように、次第に上側へ傾斜して形成されている。発射位置から発射用ソレノイド１１１によって発射された不正球は、切断部３９３の下側を通過した後に次第に切断部３９３より高い位置まで案内され、その不正球の上昇に伴って不正球に取り付けられた糸も、図１８（ｄ）に示した状態に対して図１８（ｆ）に示すように、不正球に引っ張られることで次第に上昇しつつ移動する。この移動時には、図１８（ｅ）に示すように、下側案内側壁面３４７の後側に糸が引っ掛かった状態で次第に上側に滑るように糸が上昇し、下側案内側壁面３４７の上部にて下側案内側壁面３４７の連続する方向側に設けられる切断部３９３の入口に不正球の糸が入り込んで切断される。
【０１３２】
また、図１８（ｄ）に示すように、発射経路を後方側から視認した状態においては、前後通路部Ｒ１に対して発射レール１１２の発射位置は斜め下側に位置し、不正球の糸が斜めに掛け渡され易い構成とされている。これに対応して、切断板部３９２は、上側部分（切断板上側部３９８）が後側（図１８（ｄ）の右側）に傾斜するようにして設けられ、切断部３９３の入口も、前後通路部Ｒ１と発射レール１１２とを結ぶ方向と略平行となるように、図１８（ｄ）に両方向に矢印を付して示した線の方向に沿って貫通している。このため、前後通路部Ｒ１を通じて連続する不正球の糸が切断部３９３の入口に一層入り込み易くされている。
【０１３３】
第２に、下側案内側壁面３４７には、図１８（ｂ）に示すように、切断板下側部３９６より下側部分において切断板下側部３９６より後側（図１８（ｂ）の右側）に突出した突出縁部３４７ａが設けられ、その突出縁部３４７ａの後側端縁に接触しつつ、不正球に引っ張られて糸が次第に上昇する。突出縁部３４７ａの上端まで案内された糸は、突出縁部３４７ａの上側に設けられる切断板下側部３９６に接触し、更に上昇して切断部３９３の入口へと入り込む。この突出縁部３４７ａより切断板下側部３９６が前側に位置しているので、不正球に引っ張られた糸は、切断板下側部３９６に引っかかることなくスムースに切断部３９３の入口側へ案内される。
【０１３４】
第３に、球送り支持部材３０２は、発射位置の上側から発射方向先端側に連続して形成され、図１４に示すように、球送りケース部材３３１側に突出する進路変更突出部３１６及び球受け後側壁部３１７の下側端縁は、切断部材３３４の切断部３９３の入口に対して発射方向後端側に重なるように下側に突出した形状とされている。このため、不正球が回転する等して、糸が切断部材３３４の入口より上側へ振れようとしても進路変更突出部３１６及び球受け後側壁部３１７によって糸の移動が制限され、最大に不正球の糸が上側に振れても、その糸は進路変更突出部３１６及び球受け後側壁部３１７の下側に配置されることとなる。よって、不正球の発射に伴って糸が発射方向先端側へ引っ張られた場合に、切断部材３３４の切断部３９３の入口より下側を経由して切断部３９３に糸を確実に入り込むものとすることができる。
【０１３５】
第４に、発射位置の上側から発射方向先端側に連続して発射経路を形成する発射レール１１２に対して、図１７に示すように、切断部材３３４の切断部３９３は、平面視において、略平行に連続する左右に長く形成され、且つ、発射レール１１２上の遊技球の通路に近く近接する位置に設けられている。このため、発射レール１１２上を不正球が進行した場合に、遊技球の進行方向に沿った方向側に不正球の糸が張った状態となり易く、不正球の糸が切断部３９３内に入り込む場合における入り込みの速度を遊技球の進行速度に近づけて糸をより強力に切断部３９３に係合させて切断され易いものとすることができる。
【０１３６】
以上説明した本実施形態におけるパチンコ機１０によれば、糸切断機能に関して以下の効果を奏する。
【０１３７】
発射用ソレノイド１１１によって遊技球に糸が取り付けられた不正球が発射されると、その糸の途中部分が切断部材３３４の切断部３９３によって切断される。このため、不正行為を行おうと犯罪者が糸の一端部分を操作しても、不正球を操作することができなくなるので、不正球を用いた不正行為を防止することができる。
【０１３８】
切断部材３３４の切断部３９３の入口は、前後通路部Ｒ１における遊技球の進行方向先端側に相当する後側に対して発射経路が位置する発射レール１１２側に相当する下側に偏らせて設けられている。前後通路部Ｒ１は発射レール１１２上を移動する遊技球の発射経路に対して上方において交差するため、不正球の糸における切断部３９３より上流側は前後通路部Ｒ１内に支持され、不正球の糸における切断部３９３より下流側も、発射レール１１２によって上側へ不正球が案内されることにより切断部３９３より上側に移動することとなる。このため、不正球に取り付けられた糸の切断部３９３付近は一番下側に位置した状態で発射経路側通路部Ｒ３側から切断部３９３に近づかせることができる。よって、切断部３９３の配置位置を限定しても確実に不正球の糸を切断することができ、多数の切断部を設けることなく不正行為を防止することができる。
【０１３９】
切断部材３３４の切断部３９３の入口は、発射経路側通路部Ｒ３の連続する方向側、すなわち前後方向において貫通し、不正球の糸において一番下側に垂れ下がった部分が、切断部３９３の入口の貫通方向に沿って連続した状態で次第に切断部３９３内に入り込む。このため、前後通路部Ｒ１の下流側に対して発射経路が位置する発射レール１１２側（下側）に偏らせることなく切断部を設ける場合と比較して、不正球の糸は、切断部３９３の入口側から奥側へ進行し易く、不正球の糸が切断部３９３の貫通方向に沿ってスライド移動することを抑制することができる。よって、不正球の進行による糸の引張力を切断部３９３と糸とが係合して糸が切断される力として利用しやすくすることができ、不正行為をより確実に防止することができる。
【０１４０】
下側案内側壁面３４７の突出縁部３４７ａに不正球の糸が引っ掛かった状態で次第に上側に滑るように不正球の糸が上昇し、下側案内側壁面３４７の突出縁部３４７ａに対して上側に設けられる切断部３９３の入口に不正球の糸が確実に入り込む。この不正球の糸の案内部分は、球送りケース部材３３１において右下側案内部Ｒ２および発射経路側通路部Ｒ３を形成する部材において遊技球が流下する通路の形成面（通路形成面）を利用して形成される。よって、不正球の糸を球送りケース部材３３１とは別部材であって別材料で形成した切断部材３３４を小型にすることができ、低コストで不正球を利用した不正行為をより確実に抑制することができる。
【０１４１】
右側傾斜底面３４６は、右下側案内部Ｒ２における遊技球の流下方向側に下り傾斜した形状であって切断部３９３が設けられる部位まで段差なく連続する形状とされている。また、切断部３９３は、右側傾斜底面３４６における発射レール１１２側（発射経路側）に相当する後側の端縁に略一致して設けられる切断部下側縁部３９５と、切断部下側縁部３９５に対して右側傾斜底面３４６の向く上方側に離間した位置に設けられる切断部上側縁部３９４とを有し、切断部上側縁部３９４と切断部下側縁部３９５とによって切断部３９３の入口が発射経路側通路部Ｒ３側に開口した形状とされている。このため、右下側案内部Ｒ２を形成する右側傾斜底面３４６に対して切断部３９３の入口が略面一となる位置にて開口する。よって、右側傾斜底面３４６に支持された不正球の糸は発射レール１１２上における不正球の進行に伴って切断部３９３の入口に入り込み易く、不正球を利用した不正行為をより確実に抑制することができる。
【０１４２】
進路変更突出部３１６が切断部３９３に対して前後通路部Ｒ１側に設けられている。このため、切断部３９３に対して前後通路部Ｒ１側に遊技球が離間して位置した状態において右下側案内部Ｒ２に遊技球が誘導され、切断部３９３に不正球の糸が近づきすぎることがない。そして、発射位置側に不正球が案内された後において不正球の糸は、進路変更突出部３１６より下側に配置され、その進路変更突出部３１６の下側であって右側傾斜底面３４６との間部分に相当する高さ位置に切断部３９３の入口が設けられる。よって、切断部３９３の入口に糸が一層入り込み易いものとなり、不正球を利用した不正行為をより確実に抑制することができる。
【０１４３】
球送り支持部材３０２が発射経路の上方であって発射位置から前後通路部Ｒ１の連続する方向が交差する部位までの範囲を含む長さを有して球送りケース部材３３１及び切断部３９３に対して前後通路部Ｒ１の下流側に相当する後側に設けられている。このため、発射位置に不正球が配置された状態及び発射位置から不正球が発射されて前後通路部Ｒ１の下側を経由した状態において、不正球の糸が球送り支持部材３０２より球送りケース部材３３１及び切断部３９３側に位置することとなる。よって、球送りケース部材３３１と球送り支持部材３０２とを別々の部材により構成しても不正球の糸は切断部３９３の入口に入り込む構成とすることができる。また、球送りケース部材３３１に対して球送り支持部材３０２が相対的に離間可能に設けられているので、切断部３９３の周りを遊技場の店員などが点検し易いものとすることができる。更に、切断部上側縁部３９４を一端側に形成しつつ切断部３９３の入口が開口する右側に突出して形成された切断部材３３４の切断板上側部３９８は、球送りケース部材３３１において前後通路部Ｒ１の連続する方向に沿って貫通形成された部位を通じて、その全体が視認可能とされている。このため、切断部３９３周辺の目視による点検や糸くずの除去、切断部３９３の変形及び破損に対する修繕等においては、切断板上側部３９８の前後両側に通路部を形成する壁等、樹脂部材が介在せず、不正防止を目的とした点検作業等をし易いものとすることができる。
【０１４４】
次に、遊技領域２３ａと上皿２８ａとの途中部分に配置され、不正球の糸に接触して糸を巻き取る糸巻き取り機能について、図５、図６及び図１９を参照して説明する。図１９（ａ）は、図６のＢ−Ｂ線において遊技盤２３の下側部分を断面視して糸巻き装置４１１を示した図であり、図１９（ｂ）は、糸巻き装置４１１の斜視図である。
【０１４５】
遊技盤２３には、図６に示すように、その下側端部に不正球の糸を巻き取るための糸巻き装置４１１と、糸巻き装置４１１を動作させるための糸検知用センサ４１２とを備えている。
【０１４６】
糸巻き装置４１１は、図６に示すように、遊技盤２３を構成する遊技板２３ｂの下側端部に設けられた装置であり、糸を巻き取るための合成樹脂製の回転部４２１と、回転部４２１に接続されて回転部４２１を回転させる糸巻き用モータ４２２とを備えている。糸巻き用モータ４２２は、主制御装置１６０と接続され、主制御装置１６０により動作が制御されるステッピングモータにより構成されている。糸巻き装置４１１は、糸巻き用モータ４２２が遊技板２３ｂの裏面側に図示しない取付部材を介して固定されることにより、遊技盤２３の裏面側に固定され、遊技板２３ｂに設けられる前後方向の貫通穴を通じて回転部４２１が遊技板２３ｂの前面側に突出するように設けられる。
【０１４７】
回転部４２１は、合成樹脂により形成された部材であり、糸巻き用モータ４２２の出力軸に接続される細長で円柱状の中心軸４３１に対して、複数の係合爪部４３２が外方に突出した形状とされている。複数の係合爪部４３２は、中心軸４３１の軸方向に沿って離間し、また周方向において離間した複数箇所に設けられ、各係合爪部４３２は、外方側に突出した先端部分が中心軸４３１を中心とした糸巻き用モータ４２２の回転方向における一方側に三角形状に突出した先端側突部４３３を有している。
【０１４８】
また、複数の係合爪部４３２は、図１９（ｂ）に拡大視して示すように、中心軸４３１より外方側に突出した突状部４３４における先端側突部４３３側の側面に中心軸４３１と同方向に連続する溝状の糸挟み部４３５を複数有し、これら複数の糸挟み部４３５が中心軸４３１から離間する方向側に複数並んで設けられている。複数の係合爪部４３２における先端側突部４３３の先端側にも中心軸４３１から離間する方向側および先端側突部４３３の突出方向側に開口する溝状の糸挟み部４３６が設けられている。
【０１４９】
糸巻き装置４１１の回転部４２１は、図１９（ａ）に示すように、遊技板２３ｂの前面に対して垂直方向でなく傾斜する向きに設けられ、例えば、遊技板２３ｂの前面に対して略３０度傾斜する向きに取り付けられている。遊技板２３ｂの前面に垂直に回転部４２１が突出する場合に比べて傾斜させることにより、不正球の糸が回転部４２１に巻き付いた場合に糸の連続する方向に沿って外力が加えられても、ステッピングモータの逆方向の回転力が発生しにくく、糸が外れ難いものとされている。
【０１５０】
糸巻き装置４１１の回転部４２１は、内レール１０１に接する直線であって球送り装置１１３に設けられる切断部３９３の入口を通過する直線Ｌ（図５の二点鎖線）に対して遊技球発射機構１１０によって発射される遊技球の発射経路に相当するパチンコ機１０の正面視左下側に位置するように設けられている。この回転部４２１の位置は、遊技領域２３ａに発射される遊技球が接触しない位置であって、上皿２８ａから遊技領域２３ａ内に連続して張った状態とされた不正球の糸に係合爪部４３２が接触可能な位置とされている。
【０１５１】
糸検知用センサ４１２は、不正球の糸の存在を検知するためのセンサであり、例えば、非接触式で透過型のフォトセンサにより構成され、主制御装置１６０と電気的に接続されている。糸検知用センサ４１２は、遊技板２３ｂの前面と、前扉枠１４に設けられる後側の透明ガラス３２との間に取り付けられている。また、糸検知用センサ４１２は、正面視左下側に相当する遊技球発射機構１１０から発射された遊技球の発射経路側が開口したコ字状断面が発射経路に沿って連続する向きで取り付けられ、上皿２８ａから遊技領域２３ａ内に連続して張った状態とされた不正球の糸が検知範囲に入り込み可能な位置に設けられて、糸が取り付けられた不正球を検出可能とされている。
【０１５２】
球送り装置１１３に設けられる切断部材３３４の切断部３９３において不正球の糸が切断されなかった場合に、不正球は、内レール１０１と外レール１０２との間に相当する誘導通路１０３を経由して遊技領域２３ａ内に向けて進行する。不正球が発射されると切断部材３３４の切断部３９３の入口へ不正球の糸は入り込み、不正球が誘導通路１０３を進行することで不正球の糸は、内レール１０１と切断部３９３とを結んだ直線に沿って張った状態となる。この場合、不正球の糸は、糸検知用センサ４１２によって検知され、主制御装置１６０により不正球の糸が発射された可能性があることが検知される。主制御装置１６０は、糸検知用センサ４１２の検知状態の変化に応じて糸巻き用モータ４２２の回転を制御する。詳細には、糸巻き装置４１１の回転部４２１が先端側突部４３３を有する方向側（図１８（ｂ）の矢印方向）に回転する駆動力を主制御装置１６０が糸巻き用モータ４２２に生じさせる。
【０１５３】
糸巻き装置４１１の回転部４２１の回転により先端側突部４３３に不正球の糸が絡みつき、また、不正球の糸が溝状の糸挟み部４３５，４３６の奥底側に挟まれた状態となると、糸巻き装置４１１に不正球の糸が付着して取り外し難い状態となる。このため、不正行為を継続して行い難く、また、パチンコ機１０に不正の証拠が残存することとなるので、不正行為の実行を躊躇させて未然に不正行為を抑止することもできる。
【０１５４】
また、糸巻き装置４１１に対して上流側に相当する球送り装置１１３に切断部３９３を備えることにより、糸巻き装置４１１の巻き取り力や、犯罪者が不正球の糸の一端側を糸巻き装置４１１から取り外そうとして引っ張る力等が加えられると、不正球の糸が切断部３９３によって切断され易い。よって、不正行為が行われた証拠物をパチンコ機１０に残存し易いものとすることができ、不正行為を好適に防止することができる。
【０１５５】
以上説明した本実施形態におけるパチンコ機１０によれば、糸巻き取り機能に関して以下の効果を奏する。
【０１５６】
上皿２８ａから球送り装置１１３、発射レール１１２上等を経由して遊技領域２３ａ内に発射される遊技球に対して予め糸が取り付けられていた場合にその糸が切断部３９３で切断されなかったとしても、その糸に係合可能な位置にて動作可能に設けられた回転部４２１が糸巻き用モータ４２２の駆動力により動作することで、不正球の糸に回転部４２１が係合し、回転部４２１に糸が巻き付いた状態となる。回転部４２１の動作を通じて不正目的で糸が利用された場合に対応した動作として、糸を回転部４２１に付着させる動作をパチンコ機１０に行わせることができ、糸を利用した不正行為を抑制することができる。
【０１５７】
糸巻き用モータ４２２の駆動力により動作する回転部４２１は、不正球の糸が配置され得る領域において溝部としての糸挟み部４３５，４３６が開口する方向側へ動作する。このため、回転部４２１の動作により糸が糸挟み部４３５，４３６の奥側に入るように不正球の糸と回転部４２１とを係合させることができる。よって、不正球の糸を回転部４２１に保持させる保持力を高めることができ、糸を利用した不正行為に対しての対応をより確実に実施して、糸状部材を利用した不正行為をより確実に抑制することができる。
【０１５８】
なお、本発明は、上記実施形態に限られることはなく、例えば、以下に記載するように変形して実施しても良い。この場合に、以下に記載する各構成を上記実施形態に対して適用しても良く、以下に記載する複数の構成を組み合わせて上記実施形態に対して適用しても良い。
【０１５９】
上記実施形態においては、パチンコ機１０に糸切断機能と糸巻き取り機能との双方を備える構成としたが、必ずしも双方を設ける必要はなく、一方のみを設けても良い。また、糸切断機能又は糸巻き取り機能を実現する切断部３９３および回転部４２１は、上記実施形態における位置に限らず、遊技領域２３ａに発射される遊技球が接触しない位置であって、上皿２８ａから遊技領域２３ａ内に連続して張った状態とされた不正球の糸に接触可能な遊技球の通路近傍に相当する他の位置に設けても良いし、遊技球の通路近傍に限らず、遊技領域内に設けても良い。また、糸切断機能および糸巻き取り機能として、それぞれ各１カ所ずつ、各機能を構成する切断部３９３および回転部４２１を設けたが、２つ以上の箇所に糸切断機能又は糸巻き取り機能を実現する切断部又は回転部を設けても良い。
【０１６０】
上記実施形態においては、切断部３９３の入口は、前後通路部Ｒ１における遊技球の進行方向先端側に対して発射経路が位置する発射レール１１２側に相当する下側に偏らせて設けられていたが、切断部３９３は、上記実施形態とは異なる位置に設けられても良く、右側傾斜底面３４６に対して切断部下側縁部３９５が下側に位置して上記実施形態より更に下側に切断部３９３の入口が開口するようにしても良いし、右側傾斜底面３４６に対して切断部下側縁部３９５が上側に位置して右側傾斜底面３４６と、進路変更突出部３１６との間部分にて切断部３９３の入口が開口するようにしても良い。また、前後通路部Ｒ１、右下側案内部Ｒ２及び発射経路側通路部Ｒ３は、上記実施形態に示す方向に遊技球を必ずしも流下させるものとする必要はなく、例えば、上記実施形態に比べて更に上方へ傾斜した角度で遊技球を発射する構成においては右下側案内部に代えて下方へ遊技球を案内した後に発射経路側に遊技球を案内させ、その後に遊技球を上方へ発射する構成としても良く、この場合においても発射方向とは逆側に案内するより上流側の通路部において遊技球の進行方向先端側に対して発射経路が位置する側に切断部の入口を偏らせて設けることが好ましく、これにより、不正球の糸を切断し易いものとすることができる。
【０１６１】
上記実施形態においては、切断部材３３４に切込み加工を施してスリット４０１を形成し、スリット４０１を構成する角部分において糸が切断され易いものとしたが、必ずしも切込み加工により糸が切断され易い形状とする必要はなく、切削加工などにより切断部を形成する縁部分の厚みを薄く形成することで糸が切断され易いものとしても良い。また、必ずしも不正球の糸を切断させるものとする必要はなく、切断部３９３に代えて、糸が上下の縁部の間部分に挟まれることで不正球に対する糸の操作が不能となる構成としても良い。
【０１６２】
ここで、上記実施形態における切断部３９３を別形状とした他の実施形態について、図２０及び図２１を参照して説明する。図２０（ａ）から図２０（ｃ）は、切断部３９３の変形例としての保持部５０２、案内部５１２及び切断部５２２の正面図及び右側面図を左右に並べて示した図であり、図２０（ｄ）から図２０（ｆ）及び図２１は、切断部３９３の変形例として可動式の入口部分を有する糸係合部５３３を示した図である。
【０１６３】
例えば、上記実施形態における切断部３９３を有する切断板部３９２に代えて、図２０（ａ）に示すように、金属製又は合成樹脂製で、上下の縁部が同一平面内に厚みを有するように位置し、入口に対して奥側に行くに従って次第に上下幅が狭まる形状の保持部５０２を有する保持板部５０１を設け、不正球の発射力により糸が保持部５０２に挟まれて保持される構成としても良く、糸巻き取り機能と同様に、不正の証拠物をパチンコ機１０に残存し易くすることができる。この場合、糸が挟まれる縁部分を正面視鋸波状に形成して更に糸が食い込んで外れにくいものとしても良い。
【０１６４】
また、上記実施形態における切断部３９３を有する切断板部３９２に代えて、図２０（ｂ）に示すように、先端部が尖った形状でなく、円弧状に形成され、糸を一定方向に誘導可能な形状とした案内部５１２を有する案内板部５１１としても良く、この場合には、上記実施形態における糸巻き取り機能としての回転部４２１に対して確実に不正球の糸を案内して不正行為の抑制をすることができる。
【０１６５】
また、上記実施形態における切断部３９３を有する切断板部３９２に代えて、図２０（ｃ）に示すように、下側部分に対して上側が右側方に突出する形状とされた切断部５２２を有する切断板部５２１とし、この上側の突出部分が不正球の糸を切断部５２２に案内する下側案内側壁面３４７の向く方向側に突出する構成としても良い。下側案内側壁面３４７によって上方に案内された不正球の糸を切断部５２２の上側部分に引っかかるようにして、不正球の糸をより確実に切断部５２２の入口に入り込ませることができる。
【０１６６】
また、上記実施形態における切断部３９３を有する切断板部３９２に代えて、図２０（ｄ）に示すように、上側部分に対して下側部分が前後にずれた位置に配置されて上下動し、右側に開口形成される入口部分の大きさが縮小可能とされた糸係合部５３３を有する上下板部５３１，５３２を有する構成としても良い。例えば、図２１に示すように、上記実施形態における球送りレバー３３３に代えて、当該球送りレバー３３３に対して下側の板部５３１が付加された形状の球送りレバー６１０を有し、この球送りレバー６１０の動作により下側の板部５３１が上下に動作可能な球送り装置６１１を備えた遊技球発射機構６００としても良い。そして、この遊技球発射機構６００の球送り支持部材６１２は、上記実施形態における球送り支持部材３０２に対して糸係合部５３３を形成する上側の板部５３２が付加された形状として構成しても良い。
【０１６７】
かかる構成とすることで、図２０（ｅ）に示すように、糸が無い状態においては下側の板部５３１が上下に動作可能となる一方、図２０（ｆ）に示しように、糸が糸係合部５３３の入口内に介在した状態においては、下側の板部５３１が上方に動作不能となる。このため、不正球の糸が糸係合部５３３の入口内に位置した状態においては、その後に球送りがされない状態となる。よって、不正球を発射した後の遊技球を不正球に当接させる等して不正に入賞を発生させる行為等を抑制することができる。不正球の糸が糸係合部に係合する他の形態として、球送りレバーに一体的に形成された下側の板部が上方へ移動し、下側の板部と上側の板部との前後方向における間部分に糸が嵌まり込むように、上側の板部との下側の板部とにおいて糸係合部としての入口を形成する縁部分が前後に隙間を有する構成としても良い。また、不正球の糸が糸係合部に係合する他の形態として、球送りレバーに一体的に形成された下側の板部が上方へ移動することで糸が切断されるように、上側の板部との下側の板部とにおいて糸係合部としての入口を形成する縁部分が断面形状において互いが位置する方向側に尖った形状でせん断力が作用し易い形状に形成しても良い。
【０１６８】
糸巻き装置４１１および糸検知用センサ４１２は、必ずしも上記実施形態における部位に設ける必要はなく、球送り装置１１３や遊技領域２３ａ等、遊技領域２３ａに発射される遊技球が接触しない位置であって、上皿２８ａから遊技領域２３ａ内に連続して張った状態とされた不正球の糸に接触可能な他の部位に設けても良い。また、糸検知用センサ４１２は、必ずしもフォトセンサにより構成する必要はなく、可動式の検知部を有し、その検知部を不正球の糸が配置され得る部位に突出するように配置し、その検知部に糸が接触することで不正球の糸の存在を検知する構成とする等、糸の存在を検知可能な他の検出手段としてのセンサを採用しても良い。また、糸巻き装置４１１は、不正球の糸をパチンコ機１０に残存可能とすれば良く、回転により糸に絡みつく構成の他、糸を挟んで保持する挟み部と、その挟み部を動作させる駆動力を付与するソレノイド等を備えたものであっても良い。また、糸巻き装置４１１と糸検知用センサ４１２との制御は、必ずしも主制御装置１６０によって行わせる必要はなく、表示制御装置１４２等の他の装置により制御させても良いし、専用の制御装置を設けても良い。
【０１６９】
糸検知用センサ４１２等の不正球の糸を検出する検出手段を、上記実施形態とは別の部位であって、上皿２８ａから遊技領域内に連続する遊技球の経路のうち、遊技球の発射位置より上皿２８ａに近い上流側に設け、発射位置より下流側に相当する発射レール１１２の先端側より先に糸巻き装置４１１を設けても良く、この場合に糸検知手段によって糸を検知している間または糸を検知している期間中及びその後の所定時間（例えば３秒間）、糸巻き装置４１１の糸巻き用モータ４２２を動作させて糸を巻き取る構成としても良い。切断部３９２によって切断された不正球の糸を糸巻き装置４１１に係合させて不正球および糸を糸巻き装置４１１により捕獲する構成とすることができ、不正行為の証拠物をパチンコ機に残存させ、また、発射位置と遊技領域とをつなぐ通路上に不正球を位置させて後続の遊技球の発射を抑止し、更に、糸の付いた不正球が遊技領域内および遊技島側に流出することを抑制することができる。
【０１７０】
不正球の糸を検出する検出手段を、上記実施形態とは別の部位であって、上皿２８ａから遊技領域内に連続する遊技球の経路のうち遊技球の発射位置より上皿２８ａに近い上流側に設け、不正球の糸が検出された場合に、糸巻き装置４１１を動作させることに代えて、又は、糸巻き装置４１１を動作させることに加えて、操作ハンドル４７に対応した通常の発射力より強力な発射力（例えば、最大の発射力）で遊技球を発射させる制御をパチンコ機に行わせても良い。この場合には、遊技球の発射によって不正球の糸をより確実に切断部３９３により切断可能な構成とすることができる。
【０１７１】
本発明を上記実施形態とは異なるタイプのパチンコ機等に実施しても良い。例えば、一度大当たりすると、それを含めて複数回（例えば２回、３回）大当たり状態が発生するまで、大当たり期待値が高められるようなパチンコ機として実施しても良い。また、大当たり図柄が表示された後に、所定の領域に球が入賞することを必要条件として特別遊技状態となるパチンコ機として実施しても良い。また、大当たり等の抽選機能のないいわゆる普通機として採用されても良い。球が所定の入賞口に入ることで特別遊技状態となるパチンコ機として実施しても良い。また、球が循環する封入式のパチンコ機に実施しても良い。さらに、パチンコ機以外にも、アレンジボール型パチンコ、雀球等の各種遊技機として実施するようにしても良い。
【０１７２】
以下、上記した実施形態から抽出される発明群の特徴について、必要に応じて効果等を示しつつ説明する。なお以下においては、理解の容易のため、上記各実施形態において対応する構成を括弧書き等で適宜示すが、この括弧書き等で示した具体的構成に限定されるものではない。また、各特徴に記載した用語の意味や例示等は、同一の文言にて記載した他の特徴に記載した用語の意味や例示として適用しても良い。
【０１７３】
＜特徴Ａ群＞
遊技機の一種であるパチンコ機は、遊技盤の前面側に形成される遊技領域に設けられる入賞口を備え、入賞口への遊技球の入賞に基づいて遊技者に遊技価値としての賞球を払い出したり、遊技者にとって有利な状態への当否抽選を行ったりする。この種の遊技機において、入賞口へ不正に遊技球を入賞させるために、遊技機の内部にピアノ線や針金を差し込んで、開閉式の入賞装置を無理に開放させて遊技球を不正に入賞させる、という不正行為等が行われる場合があり、かかる不正行為等に対しての対策が施されている（例えば、特開２００８−２０６８９３号公報参照）。
【０１７４】
しかしながら、遊技球に細い糸を取り付け、糸の一部を保持した状態で遊技球を遊技領域内に発射し、その糸を操作することで不正に入賞が発生させられ、不正に遊技球を獲得されるといった不正行為が行われる可能性があるという問題点がある。
【０１７５】
＜特徴Ａ１＞
遊技球を貯留可能な貯留部材（上皿２８ａ）と、該貯留部材によって貯留された遊技球を１列にして流下させる通路部を形成する１又は複数の部材によって構成された通路形成部材（球送り支持部材３０２、球送りケース部材３３１）と、該通路形成部材によって形成される通路部に設けられ、遊技球が発射される発射位置側に遊技球を１球ずつ送り出す球送り手段（球送り用ソレノイド３３２、球送りレバー３３３）と、該球送り手段によって発射位置側に送られてきた遊技球を発射する発射手段（発射用ソレノイド１１１）と、該発射手段によって発射される遊技球を、遊技球が流下する遊技領域へ向けて上側へ案内する案内部材（発射レール１１２）とを備えた遊技機において、
前記通路形成部材は、前記通路部として、
前記発射手段によって遊技球が発射される発射経路に対して上方において交差する方向側に連続して遊技球を流下させる上流側通路部（前後通路部Ｒ１）を形成するものであり、
遊技球に取り付けられた糸状部材が入り込み可能な入口を有する糸係合部（切断部３９３，５２２、保持部５０２、案内部５１２、糸係合部５３３）が設けられ、
前記糸係合部の入口は、前記上流側通路部における遊技球の進行方向先端側に対して前記発射経路が位置する側に偏らせて設けられていることを特徴とする遊技機。
【０１７６】
＜特徴Ａ２＞
遊技球を貯留可能な貯留部材（上皿２８ａ）と、該貯留部材によって貯留された遊技球を１列にして流下させる通路部を形成する１又は複数の部材によって構成された通路形成部材（球送り支持部材３０２、球送りケース部材３３１）と、該通路形成部材によって形成される通路部に設けられ、遊技球が発射される発射位置側に遊技球を１球ずつ送り出す球送り手段（球送り用ソレノイド３３２、球送りレバー３３３）と、該球送り手段によって発射位置側に送られてきた遊技球を発射する発射手段（発射用ソレノイド１１１）と、該発射手段によって発射される遊技球を、遊技球が流下する遊技領域へ向けて上側へ案内する案内部材（発射レール１１２）とを備えた遊技機において、
前記通路形成部材は、前記通路部として、
前記発射手段によって遊技球が発射される発射経路に対して上方において交差する方向側に連続して遊技球を流下させる上流側通路部（前後通路部Ｒ１）と、
該上流側通路部の下流側に設けられ、前記発射経路において遊技球が発射される発射方向とは逆側（パチンコ機正面視右下側）に遊技球を流下させる逆側通路部（右下側案内部Ｒ２）と、
該逆側通路部の下流側に設けられ、前記上流側通路部による遊技球の流下方向と同一の方向側であって前記発射経路側に遊技球を流下させる発射経路側通路部（発射経路側通路部Ｒ３）と、を形成するものであり、
前記発射経路側通路部の連続する方向側において貫通すると共に少なくとも前記発射経路側通路部側に開口し、遊技球に取り付けられた糸状部材が入り込み可能な入口を有する糸係合部（切断部３９３，５２２、保持部５０２、案内部５１２、糸係合部５３３）が設けられ、
前記糸係合部の入口は、前記上流側通路部における遊技球の進行方向先端側に対して前記発射経路が位置する側に偏らせて設けられていることを特徴とする遊技機。
【０１７７】
特徴Ａ１及びＡ２記載の遊技機によれば、糸状部材を利用した不正行為を好適に抑制可能な遊技機を提供することができる。すなわち、貯留部材によって貯留される遊技球として糸状部材が取り付けられた遊技球（不正球）が投入された場合、不正球は、通路部を経由して球送り手段によって発射位置に送られ、発射手段によって発射された後に案内部材によって遊技領域側へと案内される。
【０１７８】
上流側通路部を流下した不正球が発射位置へ至るまでには、上流側通路部と発射経路との間に設けられる糸係合部に対して、不正球が逆側通路部によって発射方向とは逆の方向側に流下し、その後に発射経路側通路部によって上流側通路部による遊技球の流下方向と同一の方向側であって発射経路側に流下する。犯罪者が糸状部材の一部を把持していた場合に、糸状部材は、糸係合部に対して発射経路側通路部が設けられる発射方向とは逆側において下側に位置した状態となる。
【０１７９】
発射位置から発射手段によって不正球が発射されると、不正球は、案内部材によって遊技領域へ向けて上側へ案内される。糸係合部より下側を通過した後に次第に糸係合部より高い位置まで案内されると、その不正球の上昇に伴って不正球に取り付けられた糸状部材が上昇し、発射経路側通路部の連続する方向側において貫通すると共に少なくとも発射経路側通路部側に開口した入口を通じて糸係合部に到達する。糸係合部が糸状部材に係合することにより糸状部材の途中部分を切断して不正行為を不能とし、又は糸状部材を保持して不正球の操作をし難くするといった糸状部材を利用した不正行為を抑制することができる。
【０１８０】
また、糸係合部は、上流側通路部の下流側に対して発射経路が位置する側に偏らせて設けられている。上流側通路部は発射経路に対して上方において交差するため、糸状部材における糸係合部より上流側は上流側通路部内に支持され、糸状部材における糸係合部より下流側も、案内部材によって上側へ不正球が案内されることにより糸係合部より上側に移動することとなる。このため、糸状部材の糸係合部付近は一番下側に位置した状態で発射経路側通路部側から糸係合部に近づかせることができ、多数の糸係合部を設けることなく不正行為をより確実に抑制することができる。
【０１８１】
更に、糸係合部の入口は、発射経路側通路部の連続する方向側において貫通し、糸状部材において一番下側に垂れ下がった部分が、糸係合部の入口の貫通方向に沿って連続した状態で次第に糸係合部内に入り込む。このため、上流側通路部の下流側に対して発射経路が位置する側に偏らせることなく糸係合部を設ける場合と比較して、糸状部材は、糸係合部の入口側から奥側へ進行し易く、糸状部材が糸係合部の貫通方向に沿ってスライド移動することを抑制することができる。よって、不正球の進行による糸状部材の引張力を糸係合部と糸状部材とが係合する力として利用しやすくすることができ、不正行為をより確実に抑制することができる。
【０１８２】
なお、特徴Ａ１及びＡ２記載の遊技機において、「発射経路に対して上方において交差する方向側に連続して遊技球を流下させる上流側通路部」としては、発射経路の発射位置を含む少なくとも一部の発射経路に対して上方側に位置するものであれば良く、また、発射経路の上方側に位置し、平面視において交差する方向側に連続して遊技球を流下させる通路部であっても良いし、発射経路より高い位置にて平面視においては交差せず発射経路から外れた位置にて発射経路に交差する方向側に連続して遊技球を流下させる通路部であっても良い。また、「糸係合部の入口は、前記上流側通路部に対して前記発射経路が位置する側に偏らせて設けられている」ことについて、糸係合部の入口は、上流側通路部の連続する方向において、又は、上流側通路部を上流側から視認した場合に、上流側通路部に対して発射経路が位置する側に設けられているとしても良いし、上流側通路部に重なる位置であって上流側通路部に対して発射経路が位置する側に設けられているとしても良い。また、「上流側通路部に対して発射経路が位置する側」とは、上流側通路部を流下する遊技球の中心に対して発射経路が位置する側としても良い。通路部として、遊技球の周面を囲う壁により遊技球の通路部を形成する場合の他、遊技球の周面の一部に当接する突状部分を遊技球の流下方向に沿って連続して形成した通路部であっても良い。
【０１８３】
＜特徴Ａ３＞
前記通路形成部材は、前記発射経路側通路部の一部を形成する通路形成面であって前記糸係合部の入口側の端縁と略面一または該糸係合部の入口側の端縁より前記発射経路側通路部側に突出して設けられ、該糸係合部の入口側の端縁に対して下側に位置すると共に前記発射位置側に連続する部位を有する案内壁面（下側案内側壁面３４７）を備えていることを特徴とする特徴Ａ１又はＡ２記載の遊技機。
【０１８４】
特徴Ａ３記載の遊技機によれば、案内壁面の一部に糸状部材が引っ掛かった状態で次第に上側に滑るように糸状部材が上昇し、案内壁面の一部に対して上側に設けられる糸係合部の入口に不正球の糸状部材が案内される。この糸状部材の案内部分は、通路形成部材の通路形成面を利用して形成されるので、糸係合部を通路形成部材とは別部材又は別材料で形成した場合に糸係合部を小型にして低コストで糸状部材を利用した不正行為をより確実に抑制することができる。
【０１８５】
＜特徴Ａ４＞
前記通路形成部材は、前記逆側通路部における遊技球の流下方向側に下り傾斜した形状であって前記糸係合部が設けられる部位まで段差なく連続する上流側支持面（右側傾斜底面３４６）を有し、
前記糸係合部は、前記上流側支持面における前記発射経路側の端縁に略一致した高さ位置において並んで設けられる第１縁部（切断部下側縁部３９５）と、該第１縁部に対して前記上流側支持面の向く方向側に離間した位置に設けられる第２縁部（切断部上側縁部３９４）とを有し、該第２縁部と前記第１縁部とによって前記糸係合部の入口が前記発射経路側通路部側に開口した形状とされていることを特徴とする特徴Ａ１からＡ３記載の遊技機。
【０１８６】
特徴Ａ４記載の遊技機によれば、上流側通路部内において上流側支持面に対して糸係合部の入口が略面一となる位置にて開口することとなる。よって、上流側支持面に支持された糸状部材は不正球の進行に伴って糸係合部の入口に入り込み易く、糸状部材を利用した不正行為をより確実に抑制することができる。
【０１８７】
＜特徴Ａ５＞
前記通路形成部材は、
前記糸係合部に対して前記上流側通路部側に設けられ、前記上流側支持面に対して該上流側支持面の向く方向側に離間した位置にて、前記逆側通路部における遊技球の流下方向下流側が前記上流側通路部の下流側に位置する形状に傾斜し、前記上流側支持面に支持された遊技球に当接して前記発射方向とは逆側に遊技球の進路を変更する進路変更部（進路変更突出部３１６）とを有し、
前記糸係合部の入口は、前記上流側通路部を上流側から視認した場合に、前記進路変更部と、前記上流側支持面との間部分であって前記上流側支持面に近接した部位において少なくとも開口した形状に形成されていることを特徴とする特徴Ａ４記載の遊技機。
【０１８８】
特徴Ａ５記載の遊技機によれば、進路変更部が糸係合部に対して上流側通路部の上流側に相当する側に設けられている。このため、糸係合部に対して上流側通路部の上流側に遊技球が離間して位置した状態において逆側通路部に遊技球が誘導され、糸係合部に不正球の糸状部材が近づきすぎることがない。そして、発射位置側に不正球が案内された後において糸状部材は、進路変更部より下側に配置されることとなり、その進路変更部の下側であって上流側支持面との間部分に糸係合部の入口が設けられる。よって、糸係合部の入口に糸状部材が一層入り込み易いものとなり、糸状部材を利用した不正行為をより確実に抑制することができる。
【０１８９】
＜特徴Ａ６＞
前記糸係合部を形成する糸係合部形成部材（切断部材３３４）を備え、
前記通路形成部材として、前記上流側支持面を形成すると共に前記糸係合部形成部材が取り付けられる第１通路形成部材（球送りケース部材３３１）と、該第１通路形成部材および前記糸係合部に対して前記上流側通路部の下流側に配置され、前記進路変更部が形成される第２通路形成部材（球送り支持部材３０２）とが設けられ、
該第２通路形成部材は、
前記発射経路の上方であって前記発射位置から前記上流側通路部の連続する方向が交差する部位までの範囲を含む長さを有すると共に、前記第１通路形成部材に対して相対的に離間可能に設けられる部材であり、
前記第１通路形成部材は、前記上流側通路部を形成する部位が前記上流側通路部の連続する方向に沿って貫通形成され、
前記糸係合部形成部材は、前記第２縁部を一端側に形成しつつ前記糸係合部の入口が開口する方向側に突出して形成された糸係合突出部（切断板上側部３９８）を有し、
該糸係合突出部は、前記上流側支持面に対して該上流側支持面の向く方向側に設けられる部位であって、前記第１通路形成部材から前記第２通路形成部材を取り外した場合に前記上流側通路部の貫通形成された部位を通じて視認可能な位置に設けられていることを特徴とする特徴Ａ５記載の遊技機。
【０１９０】
特徴Ａ６記載の遊技機によれば、第２通路形成部材が発射経路の上方であって発射位置から上流側通路部の連続する方向が交差する部位までの範囲を含む長さを有して第１通路形成部材及び糸係合部に対して上流側通路部の下流側に設けられている。このため、発射位置に不正球が配置された状態及び発射位置から不正球が発射されて上流側通路部の下側を経由した状態において、糸状部材が第２通路形成部材より第１通路形成部材側及び糸係合部側に位置することとなる。よって、第１通路形成部材と第２通路形成部材とを別々の部材により構成しても糸状部材は糸係合部の入口に入り込む構成とすることができる。また、第１通路形成部材に対して第２通路形成部材が相対的に離間可能に設けられているので、糸係合部の周りを遊技場の店員などが点検し易いものとすることができる。更に、第２縁部を一端側に形成しつつ糸係合部の入口が開口する方向側に突出して形成された糸係合部形成部材の糸係合突出部は、第１通路形成部材において上流側通路部の連続する方向に沿って貫通形成された部位を通じて、その全体が視認可能とされるので、糸係合部周辺の目視による点検や糸くずの除去、糸係合部の変形及び破損に対する修繕等、不正防止を目的とした作業をし易いものとすることができる。
【０１９１】
＜特徴Ｂ群＞
遊技機の一種であるパチンコ機は、遊技盤の前面側に形成される遊技領域に設けられる入賞口を備え、入賞口への遊技球の入賞に基づいて遊技者に遊技価値としての賞球を払い出したり、遊技者にとって有利な状態への当否抽選を行ったりする。この種の遊技機において、入賞口へ不正に遊技球を入賞させるために、遊技機の内部にピアノ線や針金を差し込んで、開閉式の入賞装置を無理に開放させて遊技球を不正に入賞させる、という不正行為等が行われる場合があり、かかる不正行為等に対しての対策が施されている（例えば、特開２００８−２０６８９３号公報参照）。
【０１９２】
しかしながら、遊技球に細い糸を取り付け、糸の一部を保持した状態で遊技球を遊技領域内に発射し、その糸を操作することで不正に入賞が発生させられ、不正に遊技球を獲得されるといった不正行為が行われる可能性があるという問題点がある。
【０１９３】
＜特徴Ｂ１＞
遊技球を貯留可能な貯留部材と、該貯留部材によって貯留された遊技球を１列にして流下させる通路部を形成する１又は複数の部材によって構成された通路形成部材と、該通路形成部材によって形成される通路部に設けられ、遊技球が発射される発射位置側に遊技球を１球ずつ送り出す球送り手段と、該球送り手段によって発射位置側に送られてきた遊技球を発射する発射手段と、該発射手段によって発射される遊技球を、遊技球が流下する遊技領域へ案内する案内部を形成する案内部材とを備えた遊技機において、
前記通路部と、前記案内部とを経由して前記遊技領域内に発射される遊技球に対して予め糸状部材が取り付けられていた場合に該糸状部材に係合可能な位置にて動作可能に設けられた係合動作部（回転部４２１、糸係合部５３３）と、
該係合動作部に駆動力を付与する駆動手段（糸巻き用モータ４２２、図２１の球送り用ソレノイド３３２）とを備え、
該駆動手段の駆動力によって前記係合動作部が動作することで、前記糸状部材に前記係合動作部が係合可能とされていることを特徴とする遊技機。
【０１９４】
特徴Ｂ１記載の遊技機によれば、糸状部材を利用した不正行為を好適に抑制可能な遊技機を提供することができる。すなわち、貯留部材によって貯留される遊技球として糸状部材が取り付けられた遊技球（不正球）が投入された場合、不正球は、通路部を経由して球送り手段によって発射位置に送られ、発射手段によって発射された後に案内部材によって遊技領域側へと案内される。
【０１９５】
通路部と、案内部とを経由して前記遊技領域内に発射される遊技球に対して予め糸状部材が取り付けられていた場合には、その糸状部材に係合可能な位置にて動作可能に設けられた係合動作部（切断部、保持部）が駆動手段の駆動力により動作することで、糸状部材に係合動作部が係合する。係合動作部の動作を通じて糸状部材が利用された場合に対応した動作を遊技機に行わせることができ、糸状部材を利用した不正行為を抑制することができる。
【０１９６】
なお、「通路部と、案内部とを経由して遊技領域内に発射される遊技球に対して糸状部材が取り付けられた場合に、糸状部材に係合可能な位置」とは、通路部と案内部とはもちろん、通路部及び案内部とは別の部位であって、曲線状に遊技球が流下する、又は、案内される部位における曲線の内側部分に相当する位置も含まれる。
「糸状部材に係合可能」とは、糸状部材に作用を及ぼすように係わり合うことが可能であれば良く、糸状部材を切断すること、糸状部材に押圧力（せん断力）を付与すること、糸状部材を所定位置に案内すること、糸状部材を保持すること等が例示される。
【０１９７】
＜特徴Ｂ２＞
前記駆動手段は、前記球送り手段によって構成され、
前記係合動作部は、前記球送り手段が動作する場合に前記糸状部材に係合し、所定の糸状部材が所定の位置に配置された場合に前記球送り手段の球送り動作が停止されることを特徴とする特徴Ｂ１記載の遊技機。
【０１９８】
特徴Ｂ２記載の遊技機によれば、球送り手段により駆動手段が構成されるので、遊技球の発射に必要な部品を用いて係合動作部の駆動力を発生させることができ、低コストで糸状部材を利用した不正行為を抑制することができる。また、所定の糸状部材が所定の位置に配置された場合に球送り手段の球送り動作が停止するので、糸状部材を利用した不正球を遊技領域内に発射した後に、後続の遊技球によって入賞を発生させるといった不正行為を抑制することができる。
【０１９９】
＜特徴Ｂ３＞
前記球送り手段は、前記遊技球に当接し、遊技球を下流側に１球ずつ送り出す動作をする球送り部材（球送りレバー６１０）を備え、
前記係合動作部は、遊技球に取り付けられた糸状部材が入り込み可能な開口部を形成すると共に前記球送り部材と一体に形成され、第１位置と、該第１位置より前記開口部の少なくとも一部を縮小した第２位置との間を動作可能とされていることを特徴とする特徴Ｂ１又はＢ２記載の遊技機。
【０２００】
特徴Ｂ３記載の遊技機によれば、遊技球に取り付けられた糸状部材が入り込み可能な開口部は、係合動作部の動作により、その少なくとも一部が縮小可能とされている。このため、該縮小可能な開口部分に糸状部材が入り込んだ場合、係合動作部が動作することで糸状部材を切断し、又は係合動作部が動作不能となることで球送り部材が動作しなくなって後続の遊技球の発射を不能とする等、糸状部材を利用した不正行為を抑制することができる。
【０２０１】
＜特徴Ｂ４＞
前記係合動作部は、該糸状部材が入り込み可能な溝部（糸挟み部４３５，４３６）を有し、前記糸状部材が配置され得る領域において該溝部が開口する方向側に動作可能に設けられ、
前記駆動手段は、前記係合動作部に対して前記溝部の開口する方向側へ動作する駆動力を付与することを特徴とする特徴Ｂ１からＢ３のいずれかに記載の遊技機。
【０２０２】
特徴Ｂ４記載の遊技機によれば、駆動手段の駆動力により動作する係合動作部は、糸状部材が配置され得る領域において溝部が開口する方向側へ動作する。このため、係合動作部の動作により糸状部材が溝部の奥側に入るように糸状部材と係合動作部とを係合させることができる。よって、糸状部材を係合動作部に保持させる保持力を高める等して糸状部材を利用した不正行為に対しての対応をより確実に実施して、糸状部材を利用した不正行為をより確実に抑制することができる。
【０２０３】
なお、特徴Ａ１〜Ａ６及び特徴Ｂ１〜Ｂ４に記載のいずれか１つの特徴を他のいずれか又は複数の特徴に組み合わせて適用しても良い。以下には、上記した各特徴を適用し得る遊技機の基本構成を示す。
【０２０４】
パチンコ遊技機：遊技者が操作する操作手段と、その操作手段の操作に基づいて遊技球を発射する遊技球発射手段と、その発射された遊技球を所定の遊技領域に導く通路部と、遊技領域内に配置された各遊技部品とを備え、それら各遊技部品のうち所定の通過部を遊技球が通過した場合に遊技者に特典を付与する遊技機。
【産業上の利用可能性】
【０２０５】
以上のように、この発明は、パチンコ機等の遊技機に適している。
【符号の説明】
【０２０６】
１０…パチンコ機、２８ａ…上皿、１１１…発射用ソレノイド、１１２…発射レール、３０２…球送り支持部材、３１６…進路変更突出部、３３１…球送りケース部材、３３４…切断部材、３３２…球送り用ソレノイド、３３３…球送りレバー、３４６…右側傾斜底面、３４７…下側案内側壁面、３９３，５２２…切断部、３９４…切断部上側縁部、３９５…切断部下側縁部、３９８…切断板上側部、４２１…回転部、４２２…糸巻き用モータ、４３５，４３６…糸挟み部、５０２…保持部、５１２…案内部、５３３…糸係合部、６１０…球送りレバー、Ｒ１…前後通路部、Ｒ２…右下側案内部、Ｒ３…発射経路側通路部
【図１】
2014108226.tif 000003
【図２】
2014108226.tif 000004
【図３】
2014108226.tif 000005
【図４】
2014108226.tif 000006
【図５】
2014108226.tif 000007
【図６】
2014108226.tif 000008
【図７】
2014108226.tif 000009
【図８】
2014108226.tif 000010
【図９】
2014108226.tif 000011
【図１０】
2014108226.tif 000012
【図１１】
2014108226.tif 000013
【図１２】
2014108226.tif 000014
【図１３】
2014108226.tif 000015
【図１４】
2014108226.tif 000016
【図１５】
2014108226.tif 000017
【図１６】
2014108226.tif 000018
【図１７】
2014108226.tif 000019
【図１８】
2014108226.tif 000020
【図１９】
2014108226.tif 000021
【図２０】
2014108226.tif 000022
【図２１】
2014108226.tif 000023